(57)【要約】【解決手段】コアネットワークは、データを外部ネットワークから受信する外部ネットワーク受信部と、データを受信すると、移動端末装置へのページング要求を送信するとともに、第２の無線通信方式での接続指示を送信する接続指示処理部と、接続要求を受信すると、第２の無線通信方式による接続を登録する接続管理部と、データを送信する転送部とを具備する。移動端末装置は、ページング要求を受信するとともに、接続指示を受信する第１無線通信方式通信部と、受信した接続指示に従い第２の無線通信方式を用いて接続要求を送信し、通信状態を受信可能状態に遷移させる第２無線通信方式接続部と、第２の通信方式の通信状態が受信可能状態にあるときは、データを受信する第２無線通信方式通信部とを具備する。これにより、待機状態にある移動端末装置に対してページング機能を備えない無線通信方式を用いた通信データの送信を可能とする。
2009028673.tif 000002
【特許請求の範囲】
【請求項１】
ページング要求を受信すると当該無線通信方式の通信状態を待機状態から受信可能状態に遷移させるページング機能を有する無線通信方式を一つまたは複数含む、複数の無線通信方式を用いて通信する移動端末装置と、外部ネットワークと通信するコアネットワークと、前記複数の無線通信方式各々について、該当する前記無線通信方式を用いて前記移動端末装置と通信する無線アクセスネットワークを少なくとも一つずつとを具備する移動通信システムであって、
前記コアネットワークは、
前記移動端末装置に宛てたデータを前記外部ネットワークから受信する外部ネットワーク受信部と、
前記外部ネットワーク受信部が前記データを受信すると、前記複数の無線通信方式のうちの一つであって、ページング機能を有する第１の無線通信方式を用いた前記移動端末装置へのページング要求と、前記複数の無線通信方式のうちの一つであって、前記第１の無線通信方式以外の第２の無線通信方式での接続指示とを、前記第１の無線通信方式を用いて通信する第１の前記無線アクセスネットワークに送信させる接続指示処理部と、
前記第２の無線通信方式を用いて通信する第２の前記無線アクセスネットワークが前記移動端末装置からの接続要求を受信すると、該移動端末装置との前記第２の無線通信方式による接続を登録する接続管理部と、
前記接続管理部が前記移動端末装置との前記第２の無線通信方式による接続を登録すると、前記データを前記第２の無線アクセスネットワークに送信させる転送部と
を具備し、
前記移動端末装置は、
前記ページング要求を受信して、前記第１の無線通信方式の通信状態を受信可能状態に遷移させるとともに、前記接続指示を受信する第１無線通信方式通信部と、
前記受信した接続指示に従い、該接続指示にて指定された前記第２の無線通信方式を用いて接続要求を送信し、前記第２の通信方式の通信状態を受信可能状態に遷移させる第２無線通信方式接続部と、
前記第２の通信方式の通信状態が受信可能状態にあるときは、該第２の無線通信方式を用いて、前記データを受信する第２無線通信方式通信部と
を具備することを特徴とする移動通信システム。
【請求項２】
前記コアネットワークは、受信した前記データを記憶するバッファ部を具備し、
前記コアネットワークの前記外部ネットワーク受信部は、受信した前記データを前記バッファ部に記憶させ、
前記コアネットワークの転送部は、前記接続管理部に、前記移動端末装置との第２の無線通信方式による接続が登録されると、前記バッファ部から読み出した前記データを、前記第２の無線アクセスネットワークに送信させることを特徴とする請求項１に記載の移動通信システム。
【請求項３】
前記コアネットワークは、
前記外部ネットワークと接続している外部ゲートウェイ装置と、
前記第１の無線アクセスネットワークと接続する第１のアクセス制御装置と、
前記第２の無線アクセスネットワークと接続する第２のアクセス制御装置と
を具備し、
前記外部ネットワーク受信部は、前記外部ゲートウェイ装置が具備し、
前記接続指示処理部は、前記外部ゲートウェイ装置あるいは前記第１のアクセス制御装置が具備し、
前記転送部は、前記第２のアクセス制御装置が具備し、
前記接続管理部は、前記第２のアクセス制御装置および前記外部ゲートウェイ装置が具備すること
を特徴とする請求項１に記載の移動通信システム。
【請求項４】
前記コアネットワークは、前記データを前記移動端末装置に送信する無線通信方式を選択する選択処理部を具備し、
前記コアネットワークの接続指示処理部は、前記選択処理部の選択結果が第２の無線通信方式であるときは、前記第１の無線アクセスネットワークに、前記移動端末装置へのページング要求を送信させるとともに前記移動端末装置への接続指示を送信させることを特徴とする請求項１に記載の移動通信システム。
【請求項５】
前記コアネットワークの接続指示処理部は、前記外部ネットワーク受信部が前記データを受信すると、前記第１の無線アクセスネットワークに、前記移動端末装置へのページング要求を送信させ、前記第１の無線アクセスネットワークが該ページング要求の応答を受信すると、前記第２の無線通信方式での接続指示を前記第１の無線アクセスネットワークに送信させ、
前記移動端末装置の第１無線通信方式通信部は、前記ページング要求を受信し、該ページング要求を受信するとその応答を前記第１の無線通信方式を用いて送信するとともに受信可能状態に遷移し、前記第２の無線通信方式での接続指示を受信すること
を特徴とする請求項１に記載の移動通信システム。
【請求項６】
前記コアネットワークの接続指示処理部は、前記外部ネットワーク受信部が前記データを受信すると、前記第２の無線通信方式での接続指示を含んだ前記移動端末装置へのページング要求を前記第１の無線アクセスネットワークに送信させ、
前記移動端末装置の第１無線通信方式通信部は、前記ページング要求を受信し、該ページング要求から前記第２の無線通信方式での接続指示を抽出するとともに受信可能状態に遷移すること
を特徴とする請求項１に記載の移動通信システム。
【請求項７】
前記接続指示処理部は、前記受信したデータを前記移動端末装置に送信する無線通信方式を選択し、該選択した無線通信方式が前記第１の無線通信方式を除いた前記複数の無線通信方式のうちの一つであって、ページング機能を有する第３の無線通信方式のときは、前記第３の無線通信方式を用いて通信する第３の前記無線アクセスネットワークにページング要求を送信させ、
前記転送部は、前記第３の無線通信方式のページング応答を受信すると、前記データを、前記第３の無線アクセスネットワークに送信させること
を特徴とする請求項１に記載の移動通信システム。
【請求項８】
ページング要求を受信すると当該無線通信方式の通信状態を待機状態から受信可能状態に遷移させるページング機能を有する無線通信方式を一つまたは複数含む、複数の無線通信方式を用いて通信する移動端末装置と、外部ネットワークと通信するコアネットワークと、前記複数の無線通信方式各々について、該当する前記無線通信方式を用いて前記移動端末装置と通信する無線アクセスネットワークを少なくとも一つずつとを具備する移動通信システムにおける無線通信方法であって、
前記コアネットワークが、前記移動端末装置に宛てたデータを前記外部ネットワークから受信する第１の過程と、
前記コアネットワークが、前記第１の過程にて前記データを受信すると、前記複数の無線通信方式のうちの一つであって、ページング機能を有する第１の無線通信方式を用いた前記移動端末装置へのページング要求と、前記複数の無線通信方式のうちの一つであって、前記第１の無線通信方式以外の第２の無線通信方式での接続指示とを、前記第１の無線通信方式を用いて通信する第１の前記無線アクセスネットワークに送信させる第２の過程と、
前記移動端末装置が、前記ページング要求を受信して、前記第１の無線通信方式の通信状態を受信可能状態に遷移させるとともに、前記接続指示を受信する第３の過程と、
前記移動端末装置が、前記受信した接続指示に従い、該接続指示にて指定された前記第２の無線通信方式を用いて接続要求を送信し、前記第２の無線通信方式の通信状態を受信可能状態に遷移させる第４の過程と、
前記コアネットワークが、前記第２の無線通信方式を用いて通信する第２の前記無線アクセスネットワークが前記移動端末装置からの接続要求を受信すると、該移動端末装置との前記第２の無線通信方式による接続を登録する第５の過程と、
前記コアネットワークが、前記第５の過程にて前記移動端末装置との前記第２の無線通信方式による接続を登録すると、前記データを前記第２の無線アクセスネットワークに送信させる第６の過程と、
前記移動端末装置が、前記第２の通信方式の通信状態が受信可能状態にあるときは、該第２の無線通信方式を用いて、前記データを受信する第７の過程と
を具備することを特徴とする無線通信方法。
【請求項９】
待機状態にある移動端末装置がページング要求を受けると当該無線通信方式の通信状態を受信可能状態に遷移させるページング機能を有する無線通信方式を一つまたは複数含む、複数の無線通信方式各々に対応した無線アクセスネットワークを介して前記移動端末装置と通信し、さらに外部ネットワークと通信するコアネットワークであって、
前記移動端末装置に宛てたデータを前記外部ネットワークから受信する外部ネットワーク受信部と、
前記外部ネットワーク受信部が前記データを受信すると、前記複数の無線通信方式のうちの一つであって、ページング機能を有する第１の無線通信方式を用いた前記移動端末装置へのページング要求と、前記複数の無線通信方式のうちの一つであって、前記第１の無線通信方式以外の第２の無線通信方式での接続指示とを、前記第１の無線通信方式を用いて通信する第１の前記無線アクセスネットワークに送信させる接続指示処理部と、
前記第２の無線通信方式を用いて通信する第２の前記無線アクセスネットワークが前記移動端末装置からの接続要求を受信すると、該移動端末装置との前記第２の無線通信方式による接続を登録する接続管理部と、
前記接続管理部が前記移動端末装置との前記第２の無線通信方式による接続を登録すると、前記データを前記第２の無線アクセスネットワークに送信させる転送部と
を具備することを特徴とするコアネットワーク。
【請求項１０】
ページング要求を受信すると当該無線通信方式の通信状態を待機状態から受信可能状態に遷移させるページング機能を有する無線通信方式を一つまたは複数含む、複数の無線通信方式を用いて通信する移動端末装置であって、
前記複数の無線通信方式のうちの一つであって、ページング機能を有する第１の無線通信方式を用いたページング要求を受信するとともに、前記複数の無線通信方式のうちの一つであって、前記第１の無線通信方式以外の第２の無線通信方式による接続を指示する接続指示を前記前記第１の無線通信方式を用いて受信する第１無線通信方式通信部と、
前記受信した接続指示に従い、該接続指示にて指定された前記第２の無線通信方式を用いて接続要求を送信し、前記第２の通信方式の通信状態を受信可能状態に遷移させる第２無線通信方式接続部と、
前記第２の通信方式の通信状態が受信可能状態にあるときは、該第２の無線通信方式を用いて、データを受信する第２無線通信方式通信部と
を具備することを特徴とする移動端末装置。
【請求項１１】
待機状態にある移動端末装置がページング要求を受けると当該無線通信方式の通信状態を受信可能状態に遷移させるページング機能を有する無線通信方式を一つまたは複数含む、複数の無線通信方式各々に対応した無線アクセスネットワークを介して前記移動端末装置と通信し、さらに外部ネットワークと通信するコアネットワークのコンピュータを、
前記移動端末装置に宛てたデータを前記外部ネットワークから受信する外部ネットワーク受信部、
前記外部ネットワーク受信部が前記データを受信すると、前記複数の無線通信方式のうちの一つであって、ページング機能を有する第１の無線通信方式を用いた前記移動端末装置へのページング要求と、前記複数の無線通信方式のうちの一つであって、前記第１の無線通信方式以外の第２の無線通信方式での接続指示とを、前記第１の無線通信方式を用いて通信する第１の前記無線アクセスネットワークに送信させる接続指示処理部、
前記第２の無線通信方式を用いて通信する第２の前記無線アクセスネットワークが前記移動端末装置からの接続要求を受信すると、該移動端末装置との前記第２の無線通信方式による接続を登録する接続管理部、
前記接続管理部が前記移動端末装置との前記第２の無線通信方式による接続を登録すると、前記データを前記第２の無線アクセスネットワークに送信させる転送部
として機能させるためのプログラム。
【請求項１２】
ページング要求を受信すると当該無線通信方式の通信状態を待機状態から受信可能状態に遷移させるページング機能を有する無線通信方式を一つまたは複数含む、複数の無線通信方式を用いて通信する移動端末装置のコンピュータを、
前記複数の無線通信方式のうちの一つであって、ページング機能を有する第１の無線通信方式を用いたページング要求を受信するとともに、前記複数の無線通信方式のうちの一つであって、前記第１の無線通信方式以外の第２の無線通信方式による接続を指示する接続指示を前記前記第１の無線通信方式を用いて受信する第１無線通信方式通信部、
前記受信した接続指示に従い、該接続指示にて指定された前記第２の無線通信方式を用いて接続要求を送信し、前記第２の通信方式の通信状態を受信可能状態に遷移させる第２無線通信方式接続部、
前記第２の通信方式の通信状態が受信可能状態にあるときは、該第２の無線通信方式を用いて、データを受信する第２無線通信方式通信部
として機能させるためのプログラム。
【発明の詳細な説明】
【技術分野】
【０００１】
本発明は、移動通信システム、無線通信方法、コアネットワーク、移動端末装置およびプログラムに関する。
本願は、２００７年８月２９日に、日本に出願された特願２００７−２２２９５８号に基づき優先権を主張し、その内容をここに援用する。
【背景技術】
【０００２】
第３世代移動通信ネットワークとして標準化されているＵＭＴＳ（Universal Mobile Telecommunications System：統合移動通信システム）では、移動端末装置（User Equipment：ＵＥ）の移動管理機能として、移動端末装置の位置を追跡する位置管理機能や移動端末装置への着信呼がある場合に当該移動端末装置を呼び出すためのページング（呼び出し）機能が提供されている。移動端末装置は、電源が投入されると無線アクセスネットワークＵＴＲＡＮ（UMTS Terrestrial Radio Access Network：統合移動通信システムの無線アクセスネットワーク）へ接続を行い、サービスの提供を受けられる待機状態（アイドルモード）で無線アクセスネットワークＵＴＲＡＮへ登録（アタッチ）される。無線アクセスネットワークＵＴＲＡＮすなわち移動通信ネットワークＵＭＴＳへ移動端末装置が登録されると、移動端末装置が位置情報を常にネットワーク側に通知することで移動端末装置の位置管理が行なわれる。【０００３】
移動通信ネットワークＵＭＴＳへ登録されている移動端末装置宛のパケットが着信した場合、その移動端末装置へのパケット通信サービスのセッションが開始されていない状態、つまり移動通信ネットワークＵＭＴＳ内でのベアラ（通信情報を転送するためのパス）が確立されていない状態であれば、移動通信ネットワークＵＭＴＳは、待機状態である移動端末装置へパケットを配送するために、移動端末装置が登録されている位置情報を参照して、移動端末装置が登録されている該当エリア（ページング・エリア：ＰＡ）にベアラや無線伝送路の設定を要求するページング（呼び出し）を行なう。ページング・メッセージはページング・エリアＰＡ内の基地局へブロードキャスト（報知）され、宛先移動端末装置がその呼び出しに対する応答メッセージを返送し、移動端末装置を待機状態から受信可能な状態に設定する（非特許文献１、非特許文献２参照）。【０００４】
また、次世代の移動体通信システムとして３ＧＰＰで標準化されているＬＴＥ（Long Term Evolution；長期の進化）＆ＳＡＥ（System Architecture Evolution；システムアーキテクチャの進化）では、従来の移動通信ネットワーク以外の非セルラー系の無線アクセスネットワーク（Wireless Local Area Network：ＷＬＡＮ、Worldwide Interoperability for Microwave Access：WiMAX等）を収容する通信システムが規定されており、移動端末装置宛に送られたパケットがこれら複数の無線アクセスネットワークへ配送出来るように、通信システム内のゲートウェイ装置及びネットワーク装置で制御することが検討されている（非特許文献３、非特許文献４、非特許文献５参照）。
【非特許文献１】TS 24.008 Mobile radio interface Layer 3 specification;Corenetwork protocols; Stage 3
【非特許文献２】TS 23.060 General Packet Radio Service (GPRS);Service description;Stage 2
【非特許文献３】TR 23.882 3GPP system architecture evolution (SAE): Report on technical options and conclusions
【非特許文献４】TS 23.401 3GPP System Architecture Evolution:GPRS enhancements for LTE access
【非特許文献５】TS 23.402 3GPP System Architecture Evolution:Architecture Enhancements for non-3GPP accesses
【発明の開示】
【発明が解決しようとする課題】
【０００５】
しかしながら、従来の移動通信ネットワーク以外の非セルラー系の無線アクセスネットワークの無線通信方式では、ページング機能に相当する機能を備えず、ユーザの手動による操作によって、通信時には接続し、通信時以外は切断するということで提供されているサービスがある。このような、ページング機能を備えない無線通信方式とページング機能を備えた無線通信方式とを含む複数の無線通信方式に対応した移動端末装置に対してネットワーク側から通信データを送信する際には、サービス品質などの観点から、この通信データがページング機能を備えない無線通信方式に適した通信データであったとしても、この移動端末装置が待機状態にあるときには、ページング機能を備えた無線アクセス方式を用いなければならないという問題がある。
解決しようとする問題点は、待機状態にある移動端末装置に対してページング機能を備えない無線通信方式を用いた通信データの送信を可能とする点である。
【課題を解決するための手段】
【０００６】
（１）本発明の移動通信システムは、ページング要求を受信すると当該無線通信方式の通信状態を待機状態から受信可能状態に遷移させるページング機能を有する無線通信方式を一つまたは複数含む、複数の無線通信方式を用いて通信する移動端末装置と、外部ネットワークと通信するコアネットワークと、前記複数の無線通信方式各々について、該当する前記無線通信方式を用いて前記移動端末装置と通信する無線アクセスネットワークを少なくとも一つずつとを具備する移動通信システムであって、前記コアネットワークは、前記移動端末装置に宛てたデータを前記外部ネットワークから受信する外部ネットワーク受信部と、前記外部ネットワーク受信部が前記データを受信すると、前記複数の無線通信方式のうちの一つであって、ページング機能を有する第１の無線通信方式を用いた前記移動端末装置へのページング要求と、前記複数の無線通信方式のうちの一つであって、前記第１の無線通信方式以外の第２の無線通信方式での接続指示とを、前記第１の無線通信方式を用いて通信する第１の前記無線アクセスネットワークに送信させる接続指示処理部と、前記第２の無線通信方式を用いて通信する第２の前記無線アクセスネットワークが前記移動端末装置からの接続要求を受信すると、該移動端末装置との前記第２の無線通信方式による接続を登録する接続管理部と、前記接続管理部が前記移動端末装置との前記第２の無線通信方式による接続を登録すると、前記データを前記第２の無線アクセスネットワークに送信させる転送部とを具備し、前記移動端末装置は、前記ページング要求を受信して、前記第１の無線通信方式の通信状態を受信可能状態に遷移させるとともに、前記接続指示を受信する第１無線通信方式通信部と、前記受信した接続指示に従い、該接続指示にて指定された前記第２の無線通信方式を用いて接続要求を送信し、前記第２の通信方式の通信状態を受信可能状態に遷移させる第２無線通信方式接続部と、前記第２の通信方式の通信状態が受信可能状態にあるときは、該第２の無線通信方式を用いて、前記データを受信する第２無線通信方式通信部とを具備することを特徴とする。【０００７】
（２）また、本発明の移動通信システムは、上述の移動通信システムであって、前記コアネットワークは、受信した前記データを記憶するバッファ部を具備し、前記コアネットワークの前記外部ネットワーク受信部は、受信した前記データを前記バッファ部に記憶させ、前記コアネットワークの転送部は、前記接続管理部に、前記移動端末装置との第２の無線通信方式による接続が登録されると、前記バッファ部から読み出した前記データを、前記第２の無線アクセスネットワークに送信させることを特徴とする。【０００８】
（３）また、本発明の移動通信システムは、上述の移動通信システムであって、前記コアネットワークは、前記外部ネットワークと接続している外部ゲートウェイ装置と、前記第１の無線アクセスネットワークと接続する第１のアクセス制御装置と、前記第２の無線アクセスネットワークと接続する第２のアクセス制御装置とを具備し、前記外部ネットワーク受信部は、前記外部ゲートウェイ装置が具備し、前記接続指示処理部は、前記外部ゲートウェイ装置あるいは前記第１のアクセス制御装置が具備し、前記転送部は、前記第２のアクセス制御装置が具備し、前記接続管理部は、前記第２のアクセス制御装置および前記外部ゲートウェイ装置が具備することを特徴とする。【０００９】
（４）また、本発明の移動通信システムは、上述の移動通信システムであって、前記コアネットワークは、前記データを前記移動端末装置に送信する無線通信方式を選択する選択処理部を具備し、前記コアネットワークの接続指示処理部は、前記選択処理部の選択結果が第２の無線通信方式であるときは、前記第１の無線アクセスネットワークに、前記移動端末装置へのページング要求を送信させるとともに前記移動端末装置への接続指示を送信させることを特徴とする。【００１０】
（５）また、本発明の移動通信システムは、上述の移動通信システムであって、前記コアネットワークの接続指示処理部は、前記外部ネットワーク受信部が前記データを受信すると、前記第１の無線アクセスネットワークに、前記移動端末装置へのページング要求を送信させ、前記第１の無線アクセスネットワークが該ページング要求の応答を受信すると、前記第２の無線通信方式での接続指示を前記第１の無線アクセスネットワークに送信させ、前記移動端末装置の第１無線通信方式通信部は、前記ページング要求を受信し、該ページング要求を受信するとその応答を前記第１の無線通信方式を用いて送信するとともに受信可能状態に遷移し、前記第２の無線通信方式での接続指示を受信することを特徴とする。【００１１】
（６）また、本発明の移動通信システムは、上述の移動通信システムであって、前記コアネットワークの接続指示処理部は、前記外部ネットワーク受信部が前記データを受信すると、前記第２の無線通信方式での接続指示を含んだ前記移動端末装置へのページング要求を前記第１の無線アクセスネットワークに送信させ、前記移動端末装置の第１無線通信方式通信部は、前記ページング要求を受信し、該ページング要求から前記第２の無線通信方式での接続指示を抽出するとともに受信可能状態に遷移することを特徴とする。【００１２】
（７）また、本発明の移動通信システムは、上述の移動通信システムであって、前記接続指示処理部は、前記受信したデータを前記移動端末装置に送信する無線通信方式を選択し、該選択した無線通信方式が前記第１の無線通信方式を除いた前記複数の無線通信方式のうちの一つであって、ページング機能を有する第３の無線通信方式のときは、前記第３の無線通信方式を用いて通信する第３の前記無線アクセスネットワークにページング要求を送信させ、前記転送部は、前記第３の無線通信方式のページング応答を受信すると、前記データを、前記第３の無線アクセスネットワークに送信させることを特徴とする。【００１３】
（８）また、本発明の無線通信方法は、ページング要求を受信すると当該無線通信方式の通信状態を待機状態から受信可能状態に遷移させるページング機能を有する無線通信方式を一つまたは複数含む、複数の無線通信方式を用いて通信する移動端末装置と、外部ネットワークと通信するコアネットワークと、前記複数の無線通信方式各々について、該当する前記無線通信方式を用いて前記移動端末装置と通信する無線アクセスネットワークを少なくとも一つずつとを具備する移動通信システムにおける無線通信方法であって、前記コアネットワークが、前記移動端末装置に宛てたデータを前記外部ネットワークから受信する第１の過程と、前記コアネットワークが、前記第１の過程にて前記データを受信すると、前記複数の無線通信方式のうちの一つであって、ページング機能を有する第１の無線通信方式を用いた前記移動端末装置へのページング要求と、前記複数の無線通信方式のうちの一つであって、前記第１の無線通信方式以外の第２の無線通信方式での接続指示とを、前記第１の無線通信方式を用いて通信する第１の前記無線アクセスネットワークに送信させる第２の過程と、前記移動端末装置が、前記ページング要求を受信して、前記第１の無線通信方式の通信状態を受信可能状態に遷移させるとともに、前記接続指示を受信する第３の過程と、前記移動端末装置が、前記受信した接続指示に従い、該接続指示にて指定された前記第２の無線通信方式を用いて接続要求を送信し、前記第２の無線通信方式の通信状態を受信可能状態に遷移させる第４の過程と、前記コアネットワークが、前記第２の無線通信方式を用いて通信する第２の前記無線アクセスネットワークが前記移動端末装置からの接続要求を受信すると、該移動端末装置との前記第２の無線通信方式による接続を登録する第５の過程と、前記コアネットワークが、前記第５の過程にて前記移動端末装置との前記第２の無線通信方式による接続を登録すると、前記データを前記第２の無線アクセスネットワークに送信させる第６の過程と、前記移動端末装置が、前記第２の通信方式の通信状態が受信可能状態にあるときは、該第２の無線通信方式を用いて、前記データを受信する第７の過程とを具備することを特徴とする。【００１４】
（９）また、本発明のコアネットワークは、待機状態にある移動端末装置がページング要求を受けると当該無線通信方式の通信状態を受信可能状態に遷移させるページング機能を有する無線通信方式を一つまたは複数含む、複数の無線通信方式各々に対応した無線アクセスネットワークを介して前記移動端末装置と通信し、さらに外部ネットワークと通信するコアネットワークであって、前記移動端末装置に宛てたデータを前記外部ネットワークから受信する外部ネットワーク受信部と、前記外部ネットワーク受信部が前記データを受信すると、前記複数の無線通信方式のうちの一つであって、ページング機能を有する第１の無線通信方式を用いた前記移動端末装置へのページング要求と、前記複数の無線通信方式のうちの一つであって、前記第１の無線通信方式以外の第２の無線通信方式での接続指示とを、前記第１の無線通信方式を用いて通信する第１の前記無線アクセスネットワークに送信させる接続指示処理部と、前記第２の無線通信方式を用いて通信する第２の前記無線アクセスネットワークが前記移動端末装置からの接続要求を受信すると、該移動端末装置との前記第２の無線通信方式による接続を登録する接続管理部と、前記接続管理部が前記移動端末装置との前記第２の無線通信方式による接続を登録すると、前記データを前記第２の無線アクセスネットワークに送信させる転送部とを具備することを特徴とする。【００１５】
（１０）また、本発明の移動端末装置は、ページング要求を受信すると当該無線通信方式の通信状態を待機状態から受信可能状態に遷移させるページング機能を有する無線通信方式を一つまたは複数含む、複数の無線通信方式を用いて通信する移動端末装置であって、前記複数の無線通信方式のうちの一つであって、ページング機能を有する第１の無線通信方式を用いたページング要求を受信するとともに、前記複数の無線通信方式のうちの一つであって、前記第１の無線通信方式以外の第２の無線通信方式による接続を指示する接続指示を前記前記第１の無線通信方式を用いて受信する第１無線通信方式通信部と、前記受信した接続指示に従い、該接続指示にて指定された前記第２の無線通信方式を用いて接続要求を送信し、前記第２の通信方式の通信状態を受信可能状態に遷移させる第２無線通信方式接続部と、前記第２の通信方式の通信状態が受信可能状態にあるときは、該第２の無線通信方式を用いて、データを受信する第２無線通信方式通信部とを具備することを特徴とする。【００１６】
（１１）また、本発明のプログラムは、待機状態にある移動端末装置がページング要求を受けると当該無線通信方式の通信状態を受信可能状態に遷移させるページング機能を有する無線通信方式を一つまたは複数含む、複数の無線通信方式各々に対応した無線アクセスネットワークを介して前記移動端末装置と通信し、さらに外部ネットワークと通信するコアネットワークのコンピュータを、前記移動端末装置に宛てたデータを前記外部ネットワークから受信する外部ネットワーク受信部、前記外部ネットワーク受信部が前記データを受信すると、前記複数の無線通信方式のうちの一つであって、ページング機能を有する第１の無線通信方式を用いた前記移動端末装置へのページング要求と、前記複数の無線通信方式のうちの一つであって、前記第１の無線通信方式以外の第２の無線通信方式での接続指示とを、前記第１の無線通信方式を用いて通信する第１の前記無線アクセスネットワークに送信させる接続指示処理部、前記第２の無線通信方式を用いて通信する第２の前記無線アクセスネットワークが前記移動端末装置からの接続要求を受信すると、該移動端末装置との前記第２の無線通信方式による接続を登録する接続管理部、前記接続管理部が前記移動端末装置との前記第２の無線通信方式による接続を登録すると、前記データを前記第２の無線アクセスネットワークに送信させる転送部として機能させる。【００１７】
（１２）また、本発明のプログラムは、ページング要求を受信すると当該無線通信方式の通信状態を待機状態から受信可能状態に遷移させるページング機能を有する無線通信方式を一つまたは複数含む、複数の無線通信方式を用いて通信する移動端末装置のコンピュータを、前記複数の無線通信方式のうちの一つであって、ページング機能を有する第１の無線通信方式を用いたページング要求を受信するとともに、前記複数の無線通信方式のうちの一つであって、前記第１の無線通信方式以外の第２の無線通信方式による接続を指示する接続指示を前記前記第１の無線通信方式を用いて受信する第１無線通信方式通信部、前記受信した接続指示に従い、該接続指示にて指定された前記第２の無線通信方式を用いて接続要求を送信し、前記第２の通信方式の通信状態を受信可能状態に遷移させる第２無線通信方式接続部、前記第２の通信方式の通信状態が受信可能状態にあるときは、該第２の無線通信方式を用いて、データを受信する第２無線通信方式通信部として機能させる。
【発明の効果】
【００１８】
本発明の移動通信システムは、ページング機能を備えた第１の無線通信方式にてページング要求を送信するとともに、ページング機能を備えない第２の無線通信方式の接続指示を移動端末装置に送信し、移動端末装置は、該接続指示に従い第２の無線通信方式による接続を行い、該第２の無線通信方式の通信状態を受信可能状態にするので、待機状態にある移動端末装置に対してページング機能を備えない無線通信方式を用いた通信データの送信を可能とする利点がある。
【図面の簡単な説明】
【００１９】
【図１】この発明の第１の実施形態による移動通信システム１０のネットワーク構成を示す概略ブロック図である。
【図２】同実施形態による移動端末装置５０の構成を示す概略ブロック図である。
【図３】同実施形態による基地局装置Ａ３１の構成を示す概略ブロック図である。
【図４】同実施形態による基地局装置Ｂ４１の構成を示す概略ブロック図である。
【図５】同実施形態によるアクセス制御装置Ａ２３の構成を示す概略ブロック図である。
【図６】同実施形態によるアクセス制御装置Ａ２３の動作を説明するフローチャートである。
【図７】同実施形態によるアクセス制御装置Ｂ２４の構成を示す概略ブロック図である。
【図８】同実施形態による外部ゲートウェイ装置２１の構成を示す概略ブロック図である。
【図９】同実施形態による加入者管理サーバ２２の構成を示す概略ブロック図である。
【図１０】同実施形態による無線アクセスネットワークＡ３０のページング機能を用いて移動端末装置５０を無線アクセスネットワークＢ４０に登録させて、通信データの送信を行なうシーケンス例を示す図である。
【図１１】同実施形態による無線アクセスネットワークＡ３０のページング機能を用いて移動端末装置５０を無線アクセスネットワークＢ４０に登録させて、通信データの送信を行なう図１０とは別のシーケンス例を示す図である。
【図１２】この発明の第２の実施形態における移動端末装置１５０の構成を示す概略ブロック図である。
【図１３】同実施形態における基地局装置Ａ１３１の構成を示す概略ブロック図である。
【図１４】同実施形態におけるアクセス制御装置Ａ１２３の構成を示す概略ブロック図である。
【図１５】同実施形態における無線アクセスネットワークＡ１３０のページング機能を用いて移動端末装置１５０を無線アクセスネットワークＢ４０に登録させて、通信データの送信を行なうシーケンス例を示す図である。
【図１６】この発明の第３の実施形態における移動通信システム１１のネットワーク構成を示す概略ブロック図である。
【図１７】同実施形態による移動端末装置５５の構成を示す概略ブロック図である。
【図１８】同実施形態による基地局装置Ｃ４３の構成を示す概略ブロック図である。
【図１９】同実施形態によるアクセス制御装置Ｃ２６の構成を示す概略ブロック図である。
【図２０】同実施形態における無線アクセスネットワークＣ４５のページング機能を用いて移動端末装置５５を受信可能状態にし、通信データの送信を行なうシーケンス例を示す図である。
【符号の説明】
【００２０】
１０、１１…移動通信システム  ２０、２５…コアネットワーク  ２１…外部ゲートウェイ装置  ２２…加入者管理サーバ  ２３、１２３…アクセス制御装置Ａ  ２４…アクセス制御装置Ｂ  ２６…アクセス制御装置Ｃ  ３０、１３０…無線アクセスネットワークＡ  ３１、３２、１３１、１３２…基地局装置Ａ  ４０…無線アクセスネットワークＢ  ４１、４２…基地局装置Ｂ  ４５…無線アクセスネットワークＣ  ４３、４４…基地局装置Ｃ  ５０、５５、１５０…移動端末装置  ５１、５６…無線通信ＩＦ部  ５２…無線制御部  ５３、５７、１５３…通信制御部  ６０…パケットデータネットワーク  ３１０、４１０…無線制御部  ３２０、４２０、１３２０…無線ネットワーク制御部  ３２１…無線通信制御部  ３２２…基地局情報通知部  ３２３、１３２３…ページング報知部  ３３０…ＵＥ管理部  ３３１…ＵＥ情報管理部  ３３２…ＲＡＮ情報管理部  ３４０、４４０…通信制御部  ３４１、４４１…無線通信ＩＦ部  ３４２…データ受信部  ３４３…データ転送部  ５１１…方式Ａ部  ５１２…方式Ｂ部  ５１３…方式Ｃ部  ５３１…ＲＡＮ接続判断部  ５３２、１５３２…ＲＡＮ接続部  ５３３、１５３３…ページング受信部  ５３４…無線Ａ制御部  ５３５…無線Ｂ制御部  ５３６…無線Ｃ制御部  ６１０、７１０…通信制御部  ６１１…データ受信部  ６１２…データ転送部  ６１３…バッファ部  ６２０、７２０、１６２０…移動管理部  ６２１…位置管理部  ６２２…ハンドオーバ部  ６２３、１６２３…ページング部  ６３０、１６３０…ネットワーク・アクセス制御部  ６３１、１６３１…使用ＲＡＮ判断部  ６３２…加入者情報管理部  ６３３…ＵＥ状態管理部  ８１０…データ受信部  ８１１…ＰＤＮ接続部  ８１２…バッファ処理部  ８１３…バッファ部  ８２０…データ転送部  ８２１…転送部  ８２２…経路制御部  ８３０…ＲＡＮ管理部  ８３１…ＵＥ登録状態管理部  ８３２…使用ＲＡＮ判断部  ９０１…サービス加入者情報管理部  ９０２…ユーザ識別情報管理部  ９０３…ユーザ位置情報管理部
【発明を実施するための最良の形態】
【００２１】
［第１の実施形態］
以下、図面を参照して、本発明の第１の実施形態について説明する。本実施形態は、ページング機能を有する無線通信方式Ａとページング機能を有しない無線通信方式Ｂとの２つの無線通信方式に対応する無線通信手段を有する移動端末装置を、ネットワーク側から無線通信方式Ａにてページング要求を行って呼び出す。さらに、ネットワーク側から、この移動端末装置に無線通信方式Ｂでの接続を指示して、無線通信方式Ｂの通信状態を受信可能状態に遷移させて、ネットワーク側から無線通信方式Ｂにて通信データを送信する。
これにより、待機状態にある移動端末装置に対して、ページング機能を有しない無線通信方式Ｂでネットワーク側から通信データを送信することを可能にしている。なお、ページング機能とは、待機状態にある移動端末装置をネットワーク側から呼び出し、通常の通信が可能な受信可能状態に遷移させる機能である。また、無線通信方式Ａにおける待機状態とは、通常の通信データの受信は行えないものの、ネットワークに対して自装置の位置などを登録しており、ページング要求の受信は可能な状態である。従って、受信可能状態に比べて、監視すべき信号が少なくなり、消費電力を抑えることができる。【００２２】
図１は、本実施形態による移動通信システム１０のネットワーク構成を示す概略ブロック図である。図１に示すように、移動通信システム１０における機能アーキテクチャは大きく無線アクセスネットワーク（無線アクセスネットワークＡ３０、無線アクセスネットワークＢ４０）とコアネットワーク２０の２つに分割される。本実施形態では、アクセス制御装置Ａ２３、Ｂ２４はこれらの無線アクセスネットワークＡ３０、無線アクセスネットワークＢ４０とコアネットワーク２０とのゲートウェイ装置として機能し、外部ゲートウェイ装置２１はパケットデータネットワーク６０と移動通信システム１０とのゲートウェイ装置として機能する。無線アクセスネットワークＡ３０、Ｂ４０では、伝送帯域などの無線リソースが割り当てられ、この無線リソースを用いてユーザ情報が移動端末装置５０とコアネットワーク２０の間で転送される。異なる無線通信方式に対しては異なる無線アクセスネットワークが存在するので、無線アクセスネットワークＡ３０と無線アクセスネットワークＢ４０で使用される無線通信方式は異なる。無線アクセスネットワークＡ３０で使用される無線通信方式Ａは、待機状態にある移動端末装置５０に対してページング要求を送信して受信可能状態に遷移させるページング機能を有している。一方、無線アクセスネットワークＢ４０で使用される無線通信方式Ｂは、このようなページング機能を有しておらず、移動端末装置５０から無線アクセスネットワークＢ４０に対して接続要求を送信した後、移動端末装置５０は受信可能状態に遷移する。【００２３】
無線アクセスネットワークＡ３０、無線アクセスネットワークＢ４０はそれぞれ複数の基地局装置Ａ３１、Ａ３２、Ｂ４１、Ｂ４２を具備している。すなわち、無線アクセスネットワークＡ３０は基地局装置Ａ３１〜３２、無線アクセスネットワークＢ４０は基地局装置Ｂ４１〜４２を具備している。無線アクセスネットワークＡ３０、Ｂ４０は、それぞれ２つの基地局装置を具備するが、これは例示であって、この数に限定されない。これらの基地局装置は無線リソース制御、無線リンク制御、媒体アクセス制御等の無線プロトコルによる制御を行う。また、これらの基地局装置は、無線チャネルの割り当てなどの管理を行う。無線アクセスネットワークＡ３０の基地局装置Ａ３１〜Ａ３２はコアネットワーク２０内のアクセス制御装置Ａ２３で管理され、無線アクセスネットワークＢ４０の基地局装置Ｂ４１〜Ｂ４２はコアネットワーク２０内のアクセス制御装置Ｂ２４で管理される。ここでは、２つの無線アクセスネットワークＡ３０、Ｂ４０から無線アクセスネットワークが構成される例を挙げたが、移動端末装置５０の対応する無線通信方式に応じて２つを超える数の無線アクセスネットワークから構成されても構わない。【００２４】
コアネットワーク２０は、ユーザ（移動端末装置５０）のサービス要求に基づいて、パケットに分割された音声やデータなどのユーザ情報を、無線アクセスネットワークＡ３０、Ｂ４０間、あるいは無線アクセスネットワークＡ３０、Ｂ４０と外部ネットワークであるパケットデータネットワーク（Packet Data Network；ＰＤＮ）６０との間で転送する。コアネットワーク２０は、移動通信システム１０とパケットデータネットワーク６０との接続を行う外部ゲートウェイ装置（PDN Gateway；ＰＧＷ）２１と、移動端末装置５０の位置管理、無線アクセスネットワークの制御及び無線アクセスネットワークＡ３０、Ｂ４０内の基地局装置Ａ３１〜Ａ３２、Ｂ４１〜Ｂ４２の管理を行なうアクセス制御装置（Serving Gateway；ＳＧＷ）Ａ２３、Ｂ２４と、加入者の管理を行う加入者管理サーバ（Home Subscriber Server；ＨＳＳ）２２とを具備する。【００２５】
移動端末装置５０は、無線アクセスネットワークＡ３０、無線アクセスネットワークＢ４０各々の無線通信方式に対応した無線通信手段を有し、それぞれの通信インタフェース（ＩＦ）経由で各無線アクセスネットワークに接続する。なお、本実施形態では、移動端末装置５０は２つの無線アクセスネットワークＡ３０、Ｂ４０に接続することが可能であるが、２つを超える数の無線通信方式の無線通信手段を有していてもよい。また、これらの無線通信手段は一つのアンテナを共有して複数の無線通信方式に対応した接続機能を有していてもよいし、それぞれの無線通信方式に対してアンテナ及び無線通信方式に対応した接続機能を有し、同時に複数の無線アクセスネットワークに接続することが可能なものであってもよい。さらに、移動端末装置５０は、各無線アクセスネットワークＡ３０、Ｂ４０を経由してコアネットワーク２０に接続し、コアネットワーク２０の外部ゲートウェイ装置２１を経由してパケットデータネットワーク６０に接続することが可能である。【００２６】
なお、本実施形態ではアクセス制御装置Ａ２３、Ｂ２４が、各無線アクセスネットワークＡ３０、Ｂ４０の基地局装置Ａ３１〜Ａ３２、Ｂ４１〜Ｂ４２に接続するネットワーク構成になっているが、アクセス制御装置Ａ２３、Ｂ２４と基地局装置Ａ３１〜Ａ３２、Ｂ４１〜Ｂ４２との間にさらに基地局装置を階層的に管理する装置を置いて階層的な構造にしてもよいし、前記階層化した装置を無線アクセスネットワークＡ３０、Ｂ４０側に配置するような構成にしてもよい。さらに、外部ゲートウェイ装置２１、アクセス制御装置Ａ２３、Ｂ２４を複数配置して負荷分散させたり、地理的な階層化をするために一つの無線アクセスネットワークの多数の基地局装置を管理する複数のアクセス制御装置を配置させてもよい。【００２７】
また、外部ゲートウェイ装置２１とアクセス制御装置Ａ２３あるいはアクセス制御装置Ｂ２４との機能を備える一つの装置を用いてもよい。アクセス制御装置Ａ２３と基地局装置Ａ３１との機能を備える一つの装置を用いてもよい。アクセス制御装置Ｂ２４と基地局装置Ｂ４１との機能を備える一つの装置として配置されていてもよい。さらに、アクセス制御装置Ａ２３またはＢ２４と外部ゲートウェイ装置２１とは機能的に区別されるが、同一の装置にしてもよく、この同一の装置に他の無線アクセスネットワークに配置されているアクセス制御装置を接続することで図１に示したような移動通信システム１０のネットワークを実現してもよい。【００２８】
次に、図２は、本実施形態による移動端末装置５０の構成を示す概略ブロック図である。移動端末装置５０は、図２に示すように、無線通信ＩＦ（Interface）部５１と、無線制御部５２と、通信制御部５３とを具備する。無線通信ＩＦ部５１は、無線接続を介して移動端末装置５０と無線アクセスネットワークＡ３０内の基地局装置Ａ３１〜Ａ３２及びアクセス制御装置Ａ２３との間との間で通信を行う方式Ａ部５１１と、無線接続を介して移動端末装置５０と無線アクセスネットワークＢ４０内の基地局装置Ｂ４１〜Ｂ４２及びアクセス制御装置Ｂ２４との間で通信を行う方式Ｂ部５１２とを具備する。無線制御部５２は、電波に情報をのせて移動端末装置５０と基地局装置Ａ３１〜３２、Ｂ４１〜４２との間で送受信するために、多重化（分離）、チャネル符号化（チャネル復号）、拡散（逆拡散）、変調（復調）など物理層での無線通信方式Ａおよび無線通信方式Ｂによる制御を行う。また、無線制御部５２は、無線通信ＩＦ部５１を制御して無線チャネルの制御や基地局装置Ａ３１〜Ａ３２およびＢ４１〜Ｂ４２の探索、無線信号の送受信のための制御など、基地局装置Ａ３１〜Ａ３２およびＢ４１〜Ｂ４２と無線通信を行なうための制御を行う。【００２９】
通信制御部５３は、無線通信ＩＦ部５１を介して無線アクセスネットワークＡ３０、Ｂ４０内の基地局装置Ａ３１〜Ａ３２およびＢ４１〜Ｂ４２と無線プロトコルを使用した通信を制御し、移動端末装置５０と無線アクセスネットワークＡ３０、Ｂ４０間の接続を可能にし、さらには移動端末装置５０の位置登録や移動通信システム１０を構成する各装置への登録、パケットデータネットワーク６０へ接続するためのネットワーク接続設定などの制御も行う。通信制御部５３は、移動通信システム１０へ登録する時に、ユーザを認証するための認証情報と移動端末装置５０の無線通信ＩＦ部５１が備える方式Ａ部５１１、方式Ｂ部５１２の情報（UE Capability：以下、「保有機能情報」という）とを送信する。【００３０】
通信制御部５３は、ＲＡＮ（Radio Access Network；無線アクセスネットワーク）接続判断部５３１、ＲＡＮ接続部５３２、ページング受信部５３３、無線Ａ制御部５３４、無線Ｂ制御部５３５を具備する。無線Ａ制御部５３４は、受信可能状態にあるときに、方式Ａ部５１１を介して、通信データの送受信を行う。また、無線Ａ制御部５３４は、受信した通信データが、アタッチ変更要求（接続指示）であるときは、該アタッチ変更要求をＲＡＮ接続部５３２に出力する。無線Ｂ制御部（第２無線通信方式部）５３５は、受信可能状態にあるときに、方式Ｂ部５１２を介して、通信データの送受信を行う。【００３１】
ＲＡＮ接続判断部５３１は、無線制御部５２より得られた情報から、方式Ａ部５１１、方式Ｂ部５１２が対応する無線アクセスネットワークＡ３０、Ｂ４０各々に接続可能か否かを判断する。ページング受信部５３３は、移動端末装置５０が待機状態にあるときに、移動端末装置５０宛にパケットデータネットワーク６０から移動通信システム１０にパケットが届くと、移動端末装置５０を受信可能状態にするためにページング処理が行なわれるが、このページング処理により送信されたページング要求を受信し、無線Ａ制御部５３４を受信可能状態にする処理を行なう。【００３２】
ＲＡＮ接続部（第２無線通信方式接続部）５３２は、無線アクセスネットワークＡ３０またはＢ４０を指定する識別子が含まれているアタッチ変更要求を受信したときには、その識別子を解釈し、該当する無線アクセスネットワークへ登録もしくは接続するアタッチ要求の送信処理を行ない、該当する無線Ａ制御部５３４または無線Ｂ制御部５３５を受信可能状態に遷移させる。本実施形態では、無線Ａ制御部５３４とページング受信部５３３とで、第１無線通信方式通信部として機能する。【００３３】
次に、図３は、本実施形態による基地局装置Ａ（第１基地局部）３１の構成を示す概略ブロック図である。なお、無線アクセスネットワークＡ３０が具備する基地局装置Ａ３１〜Ａ３２は、この基地局装置Ａ３１と同一の構成である。基地局装置Ａ３１は、図３に示すように、無線制御部３１０と、無線ネットワーク制御部３２０と、ＵＥ（User Equipment；移動端末装置）管理部３３０と、通信制御部３４０とを具備する。【００３４】
無線制御部３１０は、電波に情報をのせて移動端末装置５０と基地局装置Ａ３１との間で送受信するために、多重化（分離）、チャネル符号化（チャネル復号）、拡散（逆拡散）、変調（復調）など物理層での無線通信方式Ａによる制御を行う。また、無線チャンネルの制御や移動端末装置５０への無線リソースの割当て等、無線リソースに関する制御も行う。【００３５】
無線ネットワーク制御部３２０は、無線通信制御部３２１、基地局情報通知部３２２、ページング報知部３２３を具備する。無線通信制御部３２１は、無線アクセスネットワークＡ３０内の通信制御を管理し、無線リソース制御、無線リンク制御、媒体アクセス制御などの無線プロトコルでの機能を実現し、無線制御部３１０を制御して無線チャネルの割り当てなどの管理も行う。同時に移動端末装置５０とアクセス制御装置Ａ２３間のベアラ・サービスを設定するための通信制御も行う。ページング報知部３２３は、移動端末装置５０を待機状態から受信可能状態に遷移させるためのページング機能といったような移動端末装置５０の制御も含まれる。基地局情報通知部３２２は、基地局装置Ａ３１、Ａ３２もしくは基地局装置Ｂ４１、Ｂ４２に接続するための情報をＲＡＮ情報管理部３３２から取得し、前記情報をページング要求に含めるようにページング報知部へ指示したり、アタッチ要求に含めて移動端末装置５０に送信したり基地局装置Ａ３１、Ａ３２もしくは基地局装置Ｂ４１、Ｂ４２に接続するための情報を移動端末装置５０に送信する。【００３６】
ＵＥ管理部（接続管理部）３３０は、ＵＥ情報管理部３３１、ＲＡＮ情報管理部３３２を具備する。ＵＥ情報管理部３３１は、移動端末装置５０から送信された保有機能情報を管理する。ＲＡＮ情報管理部３３２は、基地局装置Ａ３１の通信エリア（セル）内に存在する他の無線アクセスネットワークの基地局装置で使用する無線チャネルの周波数や帯域幅や基地局の識別子といったような基地局装置に接続するための情報を管理する。ＵＥ管理部３３０は、移動通信システム１０もしくは移動端末装置５０からの要求に応じて、これらＵＥ情報管理部３３１、ＲＡＮ情報管理部３３２が管理する情報を移動端末装置５０に送信する。【００３７】
通信制御部３４０は、無線通信ＩＦ部３４１、データ受信部３４２、データ転送部３４３を具備する。データ転送部３４３は、移動端末装置５０とアクセス制御装置Ａ２３間の制御信号や通信データの転送を行なう。データ受信部３４２は、移動端末装置５０と基地局装置Ａ３１間の無線リソースの割当てやページング要求などのアクセス制御装置Ａ２３から基地局装置Ａ３１への要求メッセージを受信して、無線制御部３１０や無線ネットワーク制御部３２０へメッセージに含まれる情報を伝達する。また、無線制御部３１０や無線ネットワーク制御部３２０からの要求に応じて無線通信ＩＦ部３４１は、無線通信方式Ａを用いて移動端末装置５０との通信を行なう。【００３８】
次に、図４は、本実施形態による基地局装置Ｂ（第２基地局部）４１の構成を示す概略ブロック図である。なお、無線アクセスネットワークＢ４０が具備する基地局装置Ｂ４１〜Ｂ４２は、この基地局装置Ｂ４１と同一の構成である。同図において図３の各部に対応する部分（３２１、３２２、３３０、３３１、３３２、３４２、３４３）には同一の符号を付け、その説明を省略する。基地局装置Ｂ４１は、図４に示すように、無線制御部４１０と、無線ネットワーク制御部４２０と、ＵＥ管理部３３０と、通信制御部４４０とを具備する。【００３９】
無線制御部４１０は、電波に情報をのせて移動端末装置５０と基地局装置Ｂ４１との間で送受信するために、多重化（分離）、チャネル符号化（チャネル復号）、拡散（逆拡散）、変調（復調）など物理層での無線通信方式Ｂによる制御を行う。また、無線チャンネルの制御や移動端末装置５０への無線リソースの割当て等、無線リソースに関する制御も行う。無線ネットワーク制御部４２０は、無線通信制御部３２１、基地局情報通知部３２２を具備する。無線ネットワーク制御部４２０は、ページング報知部３２３を有していない点が、基地局装置Ａ３１の無線ネットワーク制御部３２０とは異なる。【００４０】
通信制御部４４０は、無線通信ＩＦ部４４１、データ受信部３４２、データ転送部３４３を具備する。通信制御部４４０は、無線通信ＩＦ部３４１に替えて無線通信ＩＦ部４４１を有している点が、基地局装置Ａ３１の通信制御部３４０とは異なる。無線通信ＩＦ部４４１は、無線制御部４１０や無線ネットワーク制御部４２０からの要求に応じて、無線通信方式Ｂを用いて移動端末装置５０との通信を行なう。【００４１】
次に、図５は、本実施形態によるアクセス制御装置Ａ２３の構成を示す概略ブロック図である。アクセス制御装置Ａ２３は、図５に示すように通信制御部６１０と、移動管理部６２０と、ネットワーク・アクセス制御部６３０とを具備する。通信制御部６１０は、外部ゲートウェイ装置２１から要求された移動端末装置５０との間のベアラを設定し、該ベアラによって提供されるベアラ・サービスで通信される通信データを受信するデータ受信部６１１および、該受信した通信データをベアラの設定に従いルーティング及び転送するデータ転送部６１２を具備する。【００４２】
また、通信制御部６１０は、状況に応じて該当する移動端末装置５０が登録されている、もしくは登録予定の他の無線アクセスネットワークに配置されたアクセス制御装置に通信データを転送する機能も提供する。さらに、移動端末装置５０が待機状態の際に外部ゲートウェイ装置２１から送られてきた移動端末装置５０宛の通信データを、移動端末装置５０が受信可能状態になるまで蓄積するバッファ部６１３を具備する。移動端末装置５０が登録している無線アクセスネットワークの種別や使用可能な無線アクセスネットワークの種別によって、外部ゲートウェイ装置でバッファリング（データの一時記憶）を行なわずにアクセス制御装置でバッファリングを行う場合があり、アクセス制御装置Ａ２３でバッファリングを行なっている場合でも、通信データの送信を行なう無線アクセスネットワークの種別によって、バッファリングを行なう装置を外部ゲートウェイ装置２１に変更するようにしてもよい。【００４３】
移動管理部６２０は、移動端末装置５０の位置を追跡する位置管理部６２１、移動端末装置５０への着信呼がある場合に、後述する使用ＲＡＮ判断部６３１の指示を受けて、その移動端末装置５０を呼び出すページング要求を、移動端末装置５０が接続している基地局装置Ａ３２に送信させるページング部（接続指示処理部）６２３、移動端末装置５０の位置更新に応じて、通信制御部６１０と連携してハンドオーバを行うハンドオーバ部６２２を具備する。また、ページング部６２３は、使用ＲＡＮ判断部６３１の指示を受けて、移動端末装置５０を呼び出すページング要求を、通信データを送受信する無線アクセスネットワークに配置されたアクセス制御装置にページングを依頼する機能も備える。【００４４】
ネットワーク・アクセス制御部６３０は、通信制御部６１０を介した無線アクセスネットワークＡ３０内の基地局装置Ａ３１〜Ａ３２間との通信を、専用のプロトコルを使用して制御し、基地局Ａ３１〜Ａ３２経由で送られてくるアタッチ要求に基づいて移動端末装置５０の登録をするＵＥ状態管理部６３３、ユーザ認証を行なう加入者情報管理部６３２を具備する。また、ネットワーク・アクセス制御部６３０は、どの無線アクセスネットワークおよびどの基地局装置経由で移動端末装置５０との通信を行うかを選択するデータ転送ルート再配置や移動端末装置５０からの通信メッセージの制御及び基地局装置Ａ３１〜Ａ３２との通信メッセージの制御及び使用する無線アクセスネットワークがページング機能を備えているか否かによりページング手段を決定する使用ＲＡＮ判断部６３１を具備する。図６に使用ＲＡＮ判断部６３１において使用する無線アクセスネットワークを決定し、決定された無線アクセスネットワークに基づいてページング手段を選択するフローチャートの一例を示す。【００４５】
この使用ＲＡＮ判断部６３１は、転送ルートが決まっていない通信データを外部ゲートウェイ装置２１から受信すると（Ｓａ１）、使用する無線アクセスネットワークを選択して該通信データの転送ルートを決定する（Ｓａ２）。使用ＲＡＮ判断部６３１は、選択した無線アクセスネットワークがページング機能を備えた無線アクセスネットワークＡ３０であるときは（Ｓａ３−有）、ページング部６２３に従来どおり無線アクセスネットワークＡ３０のページング要求の送信を指示する（Ｓａ４）。使用ＲＡＮ判断部６３１は、選択した無線アクセスネットワークがページングを備えない無線アクセスネットワークＢ４０の場合は（Ｓａ３−無）、ページング部６２３にページング機能を有する無線アクセスネットワークＡ３０によるページング要求の送信を指示するとともに、無線アクセスネットワークＢ４０へのアタッチ変更要求の送信指示を、移動端末装置５０が接続している基地局装置Ａ３２に送信する（Ｓａ５）。ステップＳａ４のページングもしくはステップＳａ５のアタッチ変更要求により、ステップＳａ２にて選択した無線アクセスネットワークにて通信可能になると、使用ＲＡＮ判断部６３１は、通信データを転送させる（Ｓａ６）。【００４６】
ここで、アクセス制御装置Ｂ２４に送信されるページング要求は、アクセス制御装置Ａ２３のバッファ部６１３でバッファされた通信データをアクセス制御装置Ｂ宛のＩＰヘッダでカプセル化もしくはＩＰヘッダの書き換えを行うことで通信データそのものを転送してもよい。前記通信データを受信したアクセス制御装置Ｂは、無線通信方式Ｂでの従来通りのページング方法に従って、移動端末装置５０を受信可能とする。ネットワーク・アクセス制御部６３０は、移動端末装置５０を登録したり、ユーザ認証したりするために必要なユーザ識別情報やサービス加入者情報といったような情報は、加入者管理サーバ２２を参照して取得する。サービス加入者情報には、ユーザが接続することが出来る無線アクセスネットワークの契約情報やＱｏＳ（Quality of Service：サービス品質）情報等も含まれる。【００４７】
また、ＵＥ状態管理部（接続管理部）６３３は、移動通信システム１０に登録され、位置管理が行なわれている状態の移動端末装置５０について、待機状態、受信可能状態の管理を行ない、待機状態の場合に通信データの送信を行なうために移動管理部６２０のページング部６２３を用いて移動端末装置５０を受信可能状態にするといったような移動端末装置５０の状態管理を行う。また、使用ＲＡＮ判断部６３１は、この加入者情報管理部６３２が記憶するユーザの加入者情報や移動端末装置５０の位置情報や移動端末装置５０宛に送られてきた通信データ等を参照して、使用する無線アクセスネットワークを決定する。【００４８】
次に、図７は、本実施形態によるアクセス制御装置Ｂ２４の構成を示す概略ブロック図である。同図において図５の各部に対応する部分（６１１、６１２、６１３、６２１、６２２、６３０、６３１、６３２、６３３）には同一の符号を付け、その説明を省略する。アクセス制御装置Ｂ２４は、図７に示すように通信制御部７１０と、移動管理部７２０と、ネットワーク・アクセス制御部６３０とを具備する。移動管理部７２０は、アクセス制御装置Ａ２３の移動管理部６２０とは、ページング部６２３を具備しない点が異なる。なお、本実施形態の図１０に示すシーケンス例においては、アクセス制御装置Ａ２３の使用ＲＡＮ判断部６３１が接続指示処理部として機能し、アクセス制御装置Ｂ２４のデータ転送部６１２が転送部として機能する。【００４９】
次に、図８は、本実施形態による外部ゲートウェイ装置２１の構成を示す概略ブロック図である。外部ゲートウェイ装置２１は、図８に示すように、データ受信部８１０と、データ転送部８２０と、ＲＡＮ（無線アクセスネットワーク）管理部８３０とを具備する。
データ受信部（外部ネットワーク受信部）８１０は、移動通信システム１０とパケットデータネットワーク６０との接続や、移動端末装置５０との間のベアラの設定や、提供されるアクセス制御装置Ａ２３、Ｂ２４への通信データの転送経路の設定をするＰＤＮ接続部８１１と、移動端末装置５０が待機状態の際にパケットデータネットワーク６０から送られてきた移動端末装置５０宛の通信データを移動端末装置５０が受信可能状態になるまでバッファ部８１３に該通信データを蓄積するバッファ処理部８１２を具備する。バッファ処理部８１２は、移動通信システム１０に登録されている無線アクセスネットワークの種別により移動端末装置５０宛の通信データを当該装置のバッファ部８１３において蓄積するか否かを判定し、該判定結果に従い、外部ゲートウェイ装置２１、アクセス制御装置Ａ２３またはＢ２４にてバッファリングを行なう。【００５０】
データ転送部８２０は、通信データの経路制御（アクセス制御装置Ａ２３、Ｂ２４へのベアラ設定やトンネル経路設定等）を行う経路制御部（接続管理部）８２２、通信データの転送をする転送部８２１を具備し、ルータの機能を備える。転送部８２１は、バッファ処理部８１２がバッファ部８１３に蓄積した通信データについて、経路制御部８２２がベアラおよびトンネル経路の設定をすると、該通信データを読み出して、基地局装置Ｂ４１を介して、移動端末装置５０に送信する。また、通信データの転送をする転送部８２１は、アクセス制御装置Ａ２３からアクセス制御装置Ｂ２４への転送も行う。さらに、データ転送部８２０は、課金情報やサービス品質情報やサービス加入状況等の加入者情報を管理し、前記加入者情報に基づいた課金のためのデータキャプチャ及びカウント及びサービス品質（ＱｏＳ）の制御などを行う。上記加入者情報は、アクセス制御装置Ａ２３、Ｂ２４もしくは他のネットワーク装置を経由して加入者管理サーバ２２から送られる。【００５１】
ＲＡＮ管理部８３０は、移動端末装置５０の登録状態を管理するＵＥ登録状態管理部８３１、移動端末装置５０の登録状態やネットワークの使用状態や移動端末装置５０宛に送られてきた通信データを参照して使用する無線アクセスネットワークを決定し、ページング要求と、該決定した無線アクセスネットワークへのアタッチ変更要求との送信指示を、移動端末装置５０が接続しているアクセス制御装置Ａ２３に送信する使用ＲＡＮ判断部８３２を具備する。なお、本実施形態の図１１に示すシーケンス例では、外部ゲートウェイ装置２１の使用ＲＡＮ判断部８３２が接続指示処理部として機能し、外部ゲートウェイ装置２１の転送部８２１が転送部として機能する。使用ＲＡＮ判断部８３２が接続指示処理部として機能するときは、使用ＲＡＮ判断部８３２は、使用ＲＡＮ判断部６３１と同様に図６に示すフローチャートに従い動作する。【００５２】
次に、図９は、本実施形態による加入者管理サーバ２２の構成を示す概略ブロック図である。加入者管理サーバ２２は、図９に示すように、サービス加入者情報管理部９０１と、ユーザ識別情報管理部９０２と、ユーザ位置情報管理部９０３とを具備する。ユーザ識別情報管理部９０２が記憶するユーザ識別情報には、ＩＭＳＩ（International Mobile Subscriber Identity）、あるいは、ＭＳＩＳＤＮ(MS International PSTN/ISDN Number)等であり、これらの情報を参照して移動端末装置５０の移動通信システム１０への登録やユーザ認証が行われる。【００５３】
サービス加入者情報管理部９０１は、加入者毎に、接続先のパケットデータネットワーク６０もしくはパケットデータネットワーク６０を識別する識別子、移動端末装置５０のＩＰアドレス、加入契約している無線アクセスネットワークの情報やＱｏＳパラメータ値を記憶する。ユーザの加入情報は、ユーザ位置情報管理部９０３で管理されているユーザの位置情報を参照して、ユーザが接続している外部ゲートウェイ装置２１に転送されサービスのアクセスの管理に使用される。ユーザ位置情報管理部９０３は、移動端末装置５０が現在所属しているコアネットワーク２０に関する情報が管理され、これによってユーザの所在範囲を把握する。ただし、これらの機能を実現する移動通信網のシステム構成は、それぞれの移動通信ネットワークの規格によって異なる可能性がありこれに限定するものではない。【００５４】
図１０は、無線アクセスネットワークＡ３０のページング機能を用いて移動端末装置５０を無線アクセスネットワークＢ４０に登録させて、無線アクセスネットワークＢ４０を介して通信データの送信を行なうシーケンス例を示す図である。このシーケンス例では、図５、図７にて説明したように、無線アクセスネットワークＡ３０にページング機能を有したアクセス制御装置Ａ２３が接続されており、無線アクセスネットワークＢ４０に接続されているアクセス制御装置Ｂ２４はページング機能を備えていない。この動作シーケンス例の開始時点では、無線アクセスネットワークＡ３０に移動端末装置５０が登録された待機状態であり、無線アクセスネットワークＡ３０の基地局装置Ａ３１経由で、無線アクセスネットワークＢ４０にアタッチする際の各部の動作の一例を説明する。【００５５】
パケットデータネットワーク６０から送られてきた移動端末装置５０宛の通信データが、外部ゲートウェイ装置２１経由でアクセス制御装置Ａ２３に転送される処理については従来通りのページング方式を用いる場合と同じである。すなわち、移動端末装置５０宛の通信データを外部ゲートウェイ装置２１が受信すると（Ｓ１０１）、外部ゲートウェイ装置２１は、バッファリングをアクセス制御装置Ａ２３で行う設定になっているので、受信した通信データをアクセス制御装置Ａ２３へ転送する（Ｓ１０２）。アクセス制御装置Ａ２３は、ネットワーク・アクセス制御部６３０の加入者情報管理部６３２で管理しているサービス加入者情報を参照して、ユーザの加入者情報や移動端末装置５０の位置情報や移動端末装置５０宛に送られてきた通信データを参照して、例えば、ユーザが締結している契約で利用可能であること、あるいは、この通信データのサービスが要求するＱｏＳを満たすこと、移動端末装置５０の位置情報が表す位置（ページング・エリア）を通信エリアに含んでいること、移動端末装置５０が有する機能で通信可能であることなどを条件として、使用する無線アクセスネットワークを決定する。ここでは、無線アクセスネットワークＢ４０に決定したとする（Ｓ１０３）。【００５６】
使用する無線アクセスネットワークを決定すると、アクセス制御装置Ａ２３は、前記無線アクセスネットワークＢ４０を識別する情報を含めたページング要求を、移動端末装置５０が登録されているページング・エリアに基づき、該当するページング・エリアに属する基地局装置Ａ３２を介してページング要求メッセージを報知する（Ｓ１０４、Ｓ１０４１）。アクセス制御装置Ａ２３からのページング要求を受け取ったそれぞれの基地局装置Ａ３１、３２は、ページング要求に含まれる無線アクセスネットワークの識別子をＵＥ管理部３３０のＵＥ情報管理部３３１に、該当する移動端末装置５０ に関する保有機能情報といった情報と関連付けて登録する（Ｓ１０５）。そして、基地局装置Ａ３１、３２は、自装置の配下の移動端末装置５０に対して要求された移動端末装置５０の識別子を含んだページング要求を報知する。ここで、本実施形態では、保有機能情報は移動端末装置５０が無線アクセスネットワークＡ３０にアタッチする際に移動端末装置５０から送られてきた情報を基に基地局装置Ａ３２のＵＥ情報管理部３３１が管理している。【００５７】
ページング要求を受信した移動端末装置５０は、現在接続している基地局装置Ａ３２に対してページング応答を送信する（Ｓ１０６）。ここで、移動端末装置５０は、このページング応答に呼設定の信号を転送するための信号チャネル設定を含めて送信する。ここで前記ページング応答を受信した基地局装置Ａ３２は、移動端末装置５０との無線信号チャネルを設定することで、移動端末装置５０が無線アクセスネットワークＢ４０へ接続出来なかった場合に、無線アクセスシステムＡ３０を使用して通信データの送信を行うための接続準備をしても良い。【００５８】
基地局装置Ａ３２は、移動端末装置５０からページング応答を受信することで、基地局装置Ａ３２が管理するエリア（セル）内での移動端末装置５０の位置情報を取得する（移動端末装置５０が存在するセクタを特定する）。そして、基地局装置Ａ３２は、前記移動端末装置５０の位置情報及びＵＥ情報管理部３３１で管理されている情報を参照して、ページング応答から特定されたセクタ内の無線アクセスネットワークＢ４０の基地局装置Ｂ４１へ移動端末装置５０が接続するための情報を含めたアタッチ変更要求を、移動端末装置５０に送信する（Ｓ１０７）。【００５９】
前記セクタに属する無線アクセスネットワークＢ４０の基地局装置Ｂ４１、４２、無線アクセスネットワークＡ３０と無線アクセスネットワークＢ４０のサービス範囲により、複数の基地局装置Ｂ４１、４２が同じセクタ内に存在した場合には、複数の基地局装置Ｂ４１、４２各々に接続するための接続情報を移動端末装置５０に送信して、移動端末装置５０がどの基地局装置Ｂ４１、４２に接続するかを判断してもよい。また、無線アクセスネットワークＡ３０の基地局装置Ａ３２が、接続先の基地局装置Ｂ４１を決定して、決定された基地局装置Ｂ４１の接続情報のみを送るようにしてもよい。【００６０】
本シーケンス例では、予め各無線アクセスネットワークの基地局装置Ａ３２が他の基地局装置Ｂ４１、４２の接続情報をＵＥ管理部３３０にて記憶している。ここで、前記接続情報には接続先の基地局装置Ｂ４１、Ｂ４２で使用する無線周波数、帯域幅や無線アクセスネットワークＢ４０に接続するための認証情報等が含まれる。無線アクセスネットワークＢ４０が、無線ＬＡＮ（Wireless LAN；ＷＬＡＮ）である場合は、認証情報としてアクセスポイントの識別子であるＳＳＩＤ（Service Set Identifier）を送信してもよい。また、ＵＥ管理部３３０にて記憶しているのではなく、前記接続情報を予め移動端末装置５０内で保持し、基地局装置Ａ３２は、該当する接続情報を示す管理テーブルのインデックス番号を送る等、少なくとも無線アクセスネットワークＢ４０に接続するための接続情報を識別できる情報を移動端末装置５０に送るようにしてもよい。【００６１】
移動端末装置５０は、シーケンスＳ１０７のアタッチ変更要求を受信すると、無線アクセスネットワークＡ３０から送信された前記接続情報を基に無線アクセスネットワークＢ４０の基地局装置Ｂ４１、Ｂ４２の探索を行う（Ｓ１０８の一部）。本シーケンス例では無線アクセスネットワークＢ４０の基地局装置Ｂ４１へ接続可能とする。接続可能な無線アクセスネットワークＢ４０の基地局装置Ｂ４１を発見すると（Ｓ１０８の一部）、移動端末装置５０は、ＵＥ識別子やアタッチ種別等の情報要素を含んだアタッチ要求を前記基地局装置Ｂ４１へ送信する（Ｓ１０９）。アタッチ変更要求に複数の基地局装置Ｂ４１、Ｂ４２に接続するための情報が含まれている場合には、電波強度といったような無線の品質情報や基地局装置Ｂ４１、Ｂ４２の混雑状況等により接続する基地局装置を移動端末装置５０が決定する（Ｓ１０８の一部）。アタッチ要求には外部ゲートウェイ装置２１や無線アクセスネットワークＢ４０の基地局装置Ｂ４１が接続しているアクセス制御装置Ｂ２４の識別子や移動端末装置５０の保有機能情報等を含んでいる。なお、ここでは移動端末装置５０が接続する基地局装置Ｂ４１を決定するとしたが、基地局装置側の判断により接続する基地局装置Ｂ４１が決定されても良い。【００６２】
基地局装置Ｂ４１は移動端末装置５０から送られたアタッチ要求に含まれる必要な情報をＵＥ管理部３３０に追加した後でアクセス制御装置Ｂ２４へアタッチ要求を転送する（Ｓ１０９）。なお、シーケンスＳ１０８の処理で、接続可能な基地局装置Ｂ４１が発見出来なかった場合には、移動端末装置５０は、基地局装置Ａ３２へアタッチ変更失敗メッセージを送信して、従来どおりのページング処理は完了しているので、無線アクセスネットワークＡ３０経由で通信データを受信するように処理を行う。また、本実施形態では、シーケンスＳ１０３にてアクセス制御装置Ａ２３が使用する無線アクセスネットワークを決定したが、アクセス制御装置Ａ２３は、サービス加入者情報を参照して、例えば無線アクセス方式による優先順位等の無線アクセスネットワークを選択する条件をページング要求条件に含めて送信し、基地局装置Ａ３２が移動端末装置５０の存在するセクタを特定した後、基地局装置Ａ３２が、該セクタにて接続可能な基地局装置のリストから前記優先順位に基づいて無線アクセスネットワークを決定してもよいし、移動端末装置５０が前記優先順位に基づいて無線アクセスネットワークを決定してもよい。【００６３】
次に、アクセス制御装置Ｂ２４は、移動端末装置５０を加入者管理サーバ２２に登録し、ユーザ・ネットワーク間の相互の認証及び加入者管理サーバ２２へのアクセス制御装置Ｂ２４の登録処理を行う（Ｓ１１０）。加入者管理サーバ２２は、アクセス制御装置Ｂ２４の登録を確認し、無線アクセスネットワークＢ４０で確立されるベアラに対して、認証されたサービス加入情報や課金情報などの加入者情報を含めた登録確認メッセージをアクセス制御装置Ｂ２４へ送信する（Ｓ１１１）。そして、アクセス制御装置Ｂ２４は、移動端末装置５０に対しても登録確認メッセージを送信する（Ｓ１１１１）。同時にアクセス制御装置Ｂ２４は、外部ゲートウェイ装置２１に対して、移動端末装置５０から送られた外部ゲートウェイ装置２１の識別子をもとにアクセス制御装置Ｂ２４と外部ゲートウェイ装置２１間の経路情報の更新及び通信データの送受信で使用するベアラの確立を要求するベアラ更新要求を送信する（Ｓ１１２）。【００６４】
なお、本実施形態において、外部ゲートウェイ装置２１の識別子は、シーケンスＳ１０９の移動端末装置５０からのアタッチ要求に含まれるとして説明したが、このアタッチ要求には外部ゲートウェイ装置２１の識別子が含まれておらず、アクセス制御装置Ｂ２４は、移動端末装置５０の識別子をもとに加入者管理サーバ２２の加入者情報を参照して外部ゲートウェイ装置２１の識別子を取得するなど、その他の方法により外部ゲートウェイ装置２１の識別子を取得するようにしてもよい。【００６５】
ベアラ更新要求を受信した外部ゲートウェイ装置２１は、アクセス制御装置Ｂ２４と外部ゲートウェイ装置２１間のベアラを確立し、前記確立したベアラに対して初期ポリシーや課金ルール等を追加し（Ｓ１１３）、ベアラ更新応答を送る（Ｓ１１４）。ここで、ベアラ更新応答で送信される情報は少なくともベアラを識別するための情報を含む。例えば、アクセス制御装置Ｂ２４と外部ゲートウェイ装置２１間のベアラを実現するプロトコルとしてGeneral Packet Radio Service Tunneling Protocol（ＧＴＰ）が使用される場合には、前記ベアラを識別するための情報として、トンネルエンドポイント識別子（ＴＥＩＤ）が含まれる。また、本実施形態において、初期ポリシーや課金ルールは、ベアラ更新要求に含まれているとして説明したが、他のネットワーク装置からこれらの情報を外部ゲートウェイ装置２１が取得するようにしてもよい。【００６６】
シーケンスＳ１１４のベアラ更新応答を受信したアクセス制御装置Ｂ２４は、基地局装置Ｂ４１を介して移動端末装置５０に対して無線アクセスネットワークＢ４０での移動端末装置５０と基地局装置Ｂ４１間の無線リソースの割り当て及び基地局装置Ｂ４１とアクセス制御装置Ｂ２４の転送経路の設定やＱｏＳの確保といったような移動端末装置５０とアクセス制御装置Ｂ２４間のベアラリソースを確保する（Ｓ１１５）。移動端末装置５０と外部ゲートウェイ装置２１間のベアラが確立されると、移動端末装置５０はアタッチ追加完了メッセージ（Ｓ１１６）を基地局装置Ａ３２に対して送る。このアタッチ追加完了メッセージを受信した基地局装置Ａ３２は、アクセス制御装置Ａ２３に対してベアラ確立完了メッセージを送信する（Ｓ１１７）。このベアラ確立完了メッセージを受信したアクセス制御装置Ａ２３は、バッファリングしていた通信データを読み出し、外部ゲートウェイ装置２１経由での該通信データのアクセス制御装置Ｂ２４への転送を開始する（Ｓ１１８）。これらのアタッチ完了メッセージ及びベアラ確立完了メッセージには少なくとも移動端末装置５０に対する外部ゲートウェイ装置２１から送信された通信データを識別するための情報が含まれる。【００６７】
外部ゲートウェイ装置２１は、シーケンスＳ１１８にて転送されてきた通信データを、シーケンスＳ１１３で更新された経路情報及びシーケンスＳ１１３〜Ｓ１１５で確立された移動端末装置５０と外部ゲートウェイ装置２１間のベアラを使用して移動端末装置５０に送信する（Ｓ１１９、Ｓ１２０、Ｓ１２１）。ここで、本シーケンス例ではアクセス制御装置Ｂ２４と外部ゲートウェイ装置２１のベアラを確立してからアクセス制御装置Ｂ２４と移動端末装置５０間のベアラの確立を行う処理手順を示したが、どちらかが確立されてからでなければ他方を確立することが出来ないというわけではなく、ベアラの確立の順番は、上記と異なっていてもよい。また、本シーケンス例では、移動端末装置５０からのアタッチ追加完了メッセージをトリガとしてアクセス制御装置Ａ２３が転送を開始する手順を示したが、外部ゲートウェイ装置２１が無線アクセスネットワークＢ４０でのベアラが確立されたことを確認して、アクセス制御装置Ａ２３に対して転送開始要求を開始してもよいし、その他の転送開始の処理手順であってもよい。【００６８】
図１０では、外部ゲートウェイ装置２１の設定が、バッファリングをアクセス制御装置Ａ２３で行う設定になっているときの、パケットデータネットワーク６０からの移動端末装置５０宛通信データの受信に関するシーケンス例を示した。図１１では、外部ゲートウェイ装置２１の設定がバッファリングを自装置で行う設定になっているときのシーケンス例を示す。
パケットデータネットワーク６０から送られてきた移動端末装置５０宛の通信データが、外部ゲートウェイ装置２１に到着すると、外部ゲートウェイ装置２１は、通信データをバッファリングする設定になっているので、到着した通信データを外部ゲートウェイ装置２１はバッファリングする（Ｓ３０１）。外部ゲートウェイ装置２１は、図１０のシーケンス１０３のアクセス制御装置Ａ２３と同様にして、予め設定された情報や、アタッチ時に送信された加入者情報等をもとに使用する無線アクセスネットワークを無線アクセスネットワークＢ４０に決定する（Ｓ３０２）。【００６９】
使用する無線アクセスネットワークを決定すると、外部ゲートウェイ装置２１は、使用を決定した無線アクセスネットワークＢ４０を識別する情報を含めたページング依頼メッセージをアクセス制御装置Ａ２３に送信する（Ｓ３０３）。なお、ここで、アクセス制御装置Ｂ２４がその通信制御部７１０にバッファ部を具備しており、バッファリングする装置を外部ゲートウェイ装置２１からアクセス制御装置Ｂ２４に変更する場合は、後述するシーケンスＳ３１２〜Ｓ３１４ではなく、ここで外部ゲートウェイ装置２１とアクセス制御装置Ｂ２４間の経路情報を設定する。また、アクセス制御装置Ｂ２４と外部ゲートウェイ装置２１間のベアラを実現するプロトコルとしてGeneral Packet Radio Service Tunneling Protocol（ＧＴＰ）が使用される場合には、シーケンスＳ３０３のページング依頼メッセージには、前記ベアラを識別するためのトンネルエンドポイント識別子（ＴＥＩＤ）が含まれる。なお、前記ＧＴＰ以外の通信プロトコルを使用する場合には、シーケンスＳ３０３のページング依頼メッセージには、ＴＥＩＤに相当する少なくともベアラを識別するための情報が含まれる。【００７０】
アクセス制御装置Ａ２３は、シーケンスＳ３０３のページング依頼メッセージを受信すると、前記無線アクセスネットワークＢ４０を識別する情報を含めたページング要求を移動端末装置５０が登録されているページングエリアに基づき、該当するページングエリアに属する基地局装置Ｂ４１、Ｂ４２を介して呼び出し信号を報知する（Ｓ３０４、Ｓ３０４１）。以降のシーケンスＳ３０５〜Ｓ３１１は、図１０のシーケンスＳ１０５〜Ｓ１１１と同様であるため詳細な説明は省略する。また、無線アクセスネットワークＡ３０にて通信データを転送する場合の動作シーケンスは、図１０の場合と同様であるため詳細な説明は省略する。【００７１】
図１１では、シーケンスＳ３１２〜Ｓ３１４にて外部ゲートウェイ装置２１とアクセス制御装置Ｂ２４間の経路情報を設定しているが、前述したようにＳ３０３の処理の後で既に経路情報を設定済みの場合には、経路情報の設定は行わず、ここでは、確立されているベアラに対して初期ポリシーや課金ルール等を追加する処理のみを行う。以降のＳ３１５〜Ｓ３２１までの処理は、アクセス制御装置Ａ２３に通信データを転送していないので、Ｓ３１８で通信データを転送する必要がない点以外は図１０の動作シーケンスと同様であるため説明を省略する。【００７２】
このように、シーケンスＳ１０４１、Ｓ３０４１のページング要求が、移動端末装置５０を受信可能状態に遷移させ、次に、シーケンスＳ１０７、Ｓ３０７の無線アクセスネットワークＢ４０へのアタッチ変更要求を受信した移動端末装置５０が、無線アクセスネットワークＢ４０のアタッチ要求を基地局装置Ｂ４１に送信して、無線アクセスネットワークＢ４０を介した外部ゲートウェイ装置２１までのベアラを設定する。これにより、アクセス制御装置Ａ２３または外部ゲートウェイ装置２１が蓄積していたパケットデータネットワーク６０からの通信データを、この設定したベアラ、すなわちページング機能を持たない無線通信方式Ｂにて移動端末装置５０へ送信することができる。【００７３】
なお、本実施形態において、外部ゲートウェイ装置２１が、パケットデータネットワーク６０から通信データを受信した際に、該通信データをアクセス制御装置Ａ２３にてバッファ部６１３に蓄積して、使用ＲＡＮ判断部６３１が転送経路を決定する図１０に示したシーケンス例と、該通信データを外部ゲートウェイ装置２１にてバッファ部８１３に蓄積して、使用ＲＡＮ判断部８３２が転送経路を決定する図１１に示したシーケンス例とを示したが、これら２つのシーケンス例のうち、どちらか一方のみを実施可能であってもよい。すなわち、外部ゲートウェイ装置２１がバッファ部８１３および使用ＲＡＮ判断部８３２を具備せず、図１０に示したシーケンス例のみを実施可能であってもよいし、アクセス制御装置Ａ２３がバッファ部６１３と使用ＲＡＮ判断部６３１とを具備せず、図１１に示したシーケンス例のみを実施可能であってもよい。【００７４】
また、図１０および図１１のシーケンス例において、無線アクセスネットワークＢ４０経由で移動端末装置５０への通信データの転送が開始されると、無線アクセスネットワークＡ３０のアクセス制御装置Ａ２３は、通信データをバッファリングするネットワーク装置を外部ゲートウェイ装置２１もしくは無線アクセスネットワークＢ４０のアクセス制御装置Ｂ２４に変更してもよいし、そのまま変更しなくてもよい。また、バッファリングするネットワーク装置を変更したときは、通信データがアクセス制御装置Ａ２３を介さず、外部ゲートウェイ装置２１からアクセス制御装置Ｂ２４に転送されるようにしてもよい。【００７５】
［第２の実施形態］
第１の実施形態においては、シーケンスＳ１０４１、Ｓ３０４１にて基地局装置Ａ３２がページング要求を送信して、該ページング要求を受信した移動端末装置５０が受信可能状態に遷移した後に、基地局装置Ａ３２がアタッチ変更要求を送信した。本発明の第２の実施形態においては、基地局装置Ａ１３２がアタッチ変更要求を含んだページング要求を送信する点が、第１の実施形態とは異なる。
また、本実施形態における移動通信システムは、図１に示す移動通信システム１０とは、コアネットワーク２０のアクセス制御装置Ａ２３、無線アクセスネットワークＡ３０の基地局装置Ａ３１〜３２および移動端末装置５０が、コアネットワーク１２０のアクセス制御装置１２３、無線アクセスネットワークＡ１３０、基地局装置Ａ１３１〜１３２および移動端末装置１５０である点が異なる。【００７６】
図１２は、本実施形態における移動端末装置１５０の構成を示す概略ブロック図である。同図において図２の各部に対応する部分（５１、５１１、５１２、５２、５３１、５３４、５３５）には同一の符号を付け、その説明を省略する。移動端末装置１５０は、図１２に示すように、無線通信ＩＦ部５１、無線制御部５２、通信制御部１５３を具備する。通信制御部１５３は、ＲＡＮ接続判断部５３１、ＲＡＮ接続部１５３２、ページング受信部１５３３、無線Ａ制御部５３４、無線Ｂ制御部５３５を具備する。【００７７】
ページング受信部（第１無線通信方式通信部）１５３３は、移動端末装置５０が待機状態にあるときに、移動端末装置５０宛にパケットデータネットワーク６０から移動通信システム１０にパケットが届くと、移動端末装置５０を受信可能状態にするためにページング処理が行なわれるが、このページング処理により送信されたページング要求を受信し、無線Ａ制御部５３４を受信可能状態にする処理を行なう。また、本実施形態においては、このページング要求に、無線アクセスネットワークＢ４０へのアタッチ変更要求が含まれているので、ページング受信部１５３３は、このページング要求からアタッチ変更要求を抽出して、ＲＡＮ接続部１５３２に出力する。ＲＡＮ接続部（第２無線通信方式接続部）１５３２は、無線アクセスネットワークＡ３０またはＢ４０を指定する識別子が含まれているアタッチ変更要求をページング受信部１５３３から受けたときには、その識別子を解釈し、該当する無線アクセスネットワークへ登録もしくは接続するアタッチ要求の送信処理を行ない、該当する無線Ａ制御部５３４または無線Ｂ制御部５３５を受信可能状態に遷移させる。【００７８】
図１３は、本実施形態における基地局装置Ａ（第１基地局部）１３１の構成を示す概略ブロック図である。なお、無線アクセスネットワークＡ１３０が具備する基地局装置Ａ１３１〜Ａ１３２は、この基地局装置Ａ１３１と同様の構成である。同図において図３の各部に対応する部分（３１０、３２１、３２２、３３０、３３１、３３２、３４０、３４１、３４２、３４３）には同一の符号を付け、その説明を省略する。【００７９】
基地局装置Ａ１３１は、図１３に示すように、無線制御部３１０と、無線ネットワーク制御部１３２０と、ＵＥ管理部３３０と、通信制御部３４０とを具備する。無線ネットワーク制御部１３２０は、無線通信制御部３２１と、基地局情報通知部３２２と、ページング報知部１３２３とを具備する。ページング報知部１３２３は、アクセス制御装置Ａ１２３からの無線アクセスネットワークＢ４０へのアタッチ変更要求を含んだページング要求の送信指示を受けると、該送信指示に従いページング要求を送信する。【００８０】
図１４は、本実施形態におけるアクセス制御装置Ａ１２３の構成を示す概略ブロック図である。同図において図５の各部に対応する部分（６１０、６１１、６１２、６１３、６２１、６２２、６３２、６３３）には同一の符号を付け、その説明を省略する。アクセス制御装置Ａ１２３は、図１４に示すように、通信制御部６１０、移動管理部１６２０、ネットワーク・アクセス制御部１６３０を具備する。【００８１】
ネットワーク・アクセス制御部１６３０は、使用ＲＡＮ判断部１６３１、加入者情報管理部６３２、ＵＥ状態管理部６３３を具備する。使用ＲＡＮ判断部１６３１は、転送ルートが決まっていない通信データを外部ゲートウェイ装置２１から受信すると、該通信データの転送ルート（使用する無線アクセスネットワーク）を決定し、決定した転送ルートが無線アクセスネットワークＢ４０を用いるときは、無線アクセスネットワークＢ４０へのアタッチ変更要求を含んだページング要求の送信をページング部１６２３に指示する。【００８２】
移動管理部１６２０は、位置管理部６２１、ハンドオーバ部６２２、ページング部１６２３を具備する。ページング部１６２３は、移動端末装置１５０への着信呼がある場合に、使用ＲＡＮ判断部１６３１から受けた指示に従い、その移動端末装置１５０を呼び出すページング要求であって、アタッチ変更要求を含んだページング要求を、移動端末装置１５０が登録しているページングエリア内の接続している基地局装置Ａ１３１、Ａ１３２に送信させる。【００８３】
図１５は、無線アクセスネットワークＡ１３０のページング機能を用いて移動端末装置１５０を無線アクセスネットワークＢ４０に登録させて、無線アクセスネットワークＢ４０を介して通信データの送信を行なうシーケンス例を示す図である。このシーケンス例では、無線アクセスネットワークＡ１３０にページング機能を有したアクセス制御装置Ａ１２３が接続されており、無線アクセスネットワークＢ４０に接続されているアクセス制御装置Ｂ２４はページング機能を備えていない。【００８４】
シーケンスＳ２０１〜Ｓ２０５までの処理は図１０の無線アクセスネットワークＡ３０のページング機能を用いる場合のシーケンスＳ１０１〜Ｓ１０５と同様であるため詳細な説明は省略する。アクセス制御装置Ａ１２３から無線アクセスネットワークＢ４０の識別子を含んだページング要求メッセージを受信したそれぞれの基地局装置Ａ１３１、１３２は、無線アクセスネットワークＢ４０に接続するために必要なアクセスポイントの識別子といったような情報及び移動端末装置１５０の識別子を含めたページング要求を報知する（Ｓ２０６）。【００８５】
ここで、本シーケンス例では、無線アクセスネットワークＢ４０に接続するために必要な情報として、無線アクセスネットワークＢ４０で使用される無線周波数、帯域幅、アクセスポイントの識別子を使用する。無線アクセスネットワークＢ４０が無線ＬＡＮである場合には、この必要な情報として、無線ＬＡＮで使用される無線周波数のリスト及び、無線アクセスポイントの識別子であるＳＳＩＤ、認証キー等が含まれる。なお、ページング要求メッセージに含まれる無線アクセスネットワークＢ４０に接続するための情報として、予めユーザの加入者情報や保有機能情報を参照して移動端末装置１５０が接続可能な無線アクセスネットワーク及びそれぞれの無線アクセスネットワークに接続するための情報を管理情報として、移動端末装置１５０側及び基地局Ａ１３１、１３２側で保持し、それらを識別するインデックス番号といったような識別子を送るようにしてもよい。【００８６】
移動端末装置１５０は、シーケンスＳ２０６のページング要求メッセージを受信すると、ページング要求メッセージに含まれる無線アクセスネットワークＢ４０に接続するための情報を抽出して（Ｓ２０７）、前記無線アクセスシステムＢ４０に接続するための情報に基づいて、基地局装置Ｂ４１、４２を探索する（Ｓ２０８）。接続可能な無線アクセスネットワークＢ４０の基地局装置Ｂ４１が発見されると（Ｓ２０８の一部）、移動端末装置１５０はＵＥ識別子やアタッチ種別等の情報要素を含んだアタッチ要求を前記基地局装置Ｂ４１へ送信する（Ｓ２０９）。【００８７】
無線アクセスネットワークＢ４０の基地局装置Ｂが複数発見された場合には、電波強度といったような無線の品質情報や基地局装置Ｂに接続している移動端末装置数あるいは通信負荷などの混雑状況等により接続する基地局装置Ｂを移動端末装置１５０が決定してもよい（Ｓ２０８の一部）。なお、シーケンスＳ２０８の処理で、接続可能な基地局装置Ｂが発見出来なかった場合には、基地局装置Ａ１３２へページング応答メッセージを送信して従来どおりのページング処理を行い、無線アクセスネットワークＡ１３０経由で通信データを受信するように処理を行う。
以降のシーケンスＳ２１０〜Ｓ２２１までの処理は図１０の無線アクセスネットワークＡ１３０のページング機能を用いる場合のシーケンスＳ１１０〜Ｓ１２１と同様であるため詳細な説明は省略する。【００８８】
このように、シーケンスＳ２０６のページング要求が、移動端末装置１５０を受信可能状態に遷移させ、次に、シーケンスＳ２０７の無線アクセスネットワークＢ４０へのアタッチ変更要求を受信した移動端末装置１５０が、無線アクセスネットワークＢ４０のアタッチ要求を基地局装置Ｂ４１に送信して、無線アクセスネットワークＢ４０を介した外部ゲートウェイ装置２１までのベアラを設定する。これにより、アクセス制御装置Ａ２３または外部ゲートウェイ装置２１が蓄積していたパケットデータネットワーク６０からの通信データを、この設定したベアラ、すなわちページング機能を持たない無線通信方式Ｂにて移動端末装置１５０へ送信することができる。【００８９】
［第３の実施形態］
以下、図面を参照して、本発明の第３の実施形態について説明する。第１および第２の実施形態では、使用する無線アクセスネットワークがページング機能を持たないときに、ページング機能を持つ無線アクセスネットワークを用いてページング要求を行って、使用する無線アクセスネットワークを通信可能な状態にしているが、本実施形態では、使用する無線アクセスネットワークがページング機能を有しているときについて説明する。【００９０】
図１６は、本実施形態における移動通信システム１１のネットワーク構成を示す概略ブロック図である。同図において図１の各部に対応する部分（２１、２２、２３、３０、３１、３２、６０）には同一の符号を付け、その説明を省略する。移動通信システム１１は、コアネットワーク２５と、ページング機能を有する無線通信方式Ａにて通信する無線アクセスネットワークＡ３０と、同じくページング機能を有する無線通信方式Ｃにて通信する無線アクセスネットワークＣ４５と、移動端末装置５５とを具備する。移動端末装置５５については、図１７にて説明する。なお、図１６においては、図示は省略しているが、移動通信システム１１は、ページング機能を有さない無線アクセスネットワークＢ４０およびアクセス制御装置Ｂ２４を有している。【００９１】
コアネットワーク２５は、外部ゲートウェイ装置２１と、加入者管理サーバ２２と、アクセス制御装置Ａ２３と、アクセス制御装置Ｃ２６とを具備する。アクセス制御装置Ｃ２６については、図１９にて説明する。無線アクセスネットワークＣ４５は、複数の基地局装置Ｃ４３〜４４を具備している。無線アクセスネットワークＡ３０、Ｃ４５は、それぞれ２つの基地局装置を具備するが、これは例示であって、この数に限定されない。
本実施形態では、アクセス制御装置Ａ２３、Ｃ２６はこれらの無線アクセスネットワークＡ３０、無線アクセスネットワークＣ４５とコアネットワーク２５とのゲートウェイ装置として機能し、外部ゲートウェイ装置２１はパケットデータネットワーク６０と移動通信システム１１とのゲートウェイ装置として機能する。【００９２】
図１７は、本実施形態における移動端末装置５５の構成を示す概略ブロック図である。
同図において図２の各部に対応する部分（５２、５１１、５１２、５３１、５３２、５３３、５３４、５３５）には同一の符号を付け、その説明を省略する。移動端末装置５５は、無線制御部５２、無線通信ＩＦ部５６、通信制御部５７を具備する。無線通信ＩＦ部５６は、方式Ａ部５１１、方式Ｂ部５１２、方式Ｃ部５１３を具備する。通信制御部５７は、ＲＡＮ接続判断部５３１、ＲＡＮ接続部５３２、ページング受信部５３３、無線Ａ制御部５３４、無線Ｂ制御部５３５、無線Ｃ制御部５３６を具備する。方式Ｃ部５１３は、無線接続を介して移動端末装置５５と無線アクセスネットワークＣ４５内の基地局装置Ｃ４３〜Ｃ４４及びアクセス制御装置Ｃ２６との間との間で通信を行う。無線Ｃ制御部５３６は、受信可能状態にあるときに、方式Ｃ部５１３を介して、通信データの送受信を行う。
また、ページング受信部５３３は、待機状態にあるときは無線通信方式Ｃのページング要求についても受信し、無線通信方式Ｃの通信状態を受信可能状態に遷移させるとともに、ページング応答を返信する。【００９３】
図１８は、本実施形態における基地局装置Ｃ４３の構成を示す概略ブロック図である。
同図において図３の各部に対応する部分（３１０、３２０、３３０、３４０）には同一の符号を付け、その説明を省略する。基地局装置Ｃ４３は、図１８に示すように基地局装置Ａ３１と同様の構成であるが、無線通信ＩＦ部３４１が、無線通信方式Ｃを用いて移動端末装置５５との通信を行なう点のみ異なる。
図１９は、本実施形態におけるアクセス制御装置Ｃ２６の構成を示す概略ブロック図である。同図において図５の各部に対応する部分（６１０、６２０、６３０）には同一の符号を付け、その説明を省略する。アクセス制御装置Ｃ２６は、図１９に示すようにアクセス制御装置Ａ２３と同様の構成である。【００９４】
次に、図２０は、パケットデータネットワーク６０から受信した移動端末装置５５宛ての通信データをアクセス制御装置Ａ２３でバッファリングし、無線アクセスネットワークＣ４５を経由して移動端末装置５５に送信する場合のシーケンス例を示す図である。図２０のシーケンス例では、移動端末装置５５が登録されている無線アクセスネットワークと通信データの送信に使用することが決定された無線アクセスネットワークとが異なる無線アクセスネットワークである場合に、使用することが決定された無線アクセスネットワークＣ４５のページング処理を待機状態の移動端末装置５５に対して行い、移動端末装置５５を受信可能状態にさせて、パケットデータネットワーク６０から送信されてきた通信データを転送する。【００９５】
本シーケンス例では、無線アクセスネットワークＡ３０及び無線アクセスネットワークＣ４５はどちらもページング機能を備えており、どちらも登録処理が完了しているものとする。また、本シーケンス例では、無線アクセスネットワークＡ３０に接続しているアクセス制御装置Ａ２３でバッファリングの処理を行うことが予め設定されており、アクセス制御装置Ａ２３では、無線アクセスネットワークＣ４５を使用することが判断される。無線アクセスネットワークＣ４５に接続されたアクセス制御装置Ｃ２６はページング機能を有しているため、アクセス制御装置Ａ２３からアクセス制御装置Ｃ２６にページング依頼のメッセージが送信され、無線アクセスネットワークＣ４５に配置されたアクセス制御装置Ｃ２６のページング機能を用いて待機状態にある移動端末装置５５を受信可能状態に遷移させて、通信データを送信する。【００９６】
パケットデータネットワーク６０から送られてきた通信データが外部ゲートウェイ装置２１に到着すると（Ｓ４０１）、外部ゲートウェイ装置２１ではバッファリングをアクセス制御装置Ａ２３で行う設定になっているので、到着した通信データをアクセス制御装置Ａ２３へ転送する（Ｓ４０２）。アクセス制御装置Ａ２３は、ネットワーク・アクセス制御部６３０で管理しているサービス加入者情報を参照して、ユーザの加入者情報や移動端末装置５５の位置情報や移動端末装置５５宛に送られてきた通信データを参照して、使用する無線アクセスネットワークを無線アクセスネットワークＣ４５に決定する（Ｓ４０３）。【００９７】
本シーケンス例では無線アクセスネットワークＣ４５はページング機能を備えているため、使用する無線アクセスネットワークが決定されると、アクセス制御装置Ａ２３は、前記無線アクセスネットワークＣ４５を識別する情報を含めたページング要求を外部ゲートウェイ装置２１に送信する（Ｓ４０４）。ここで、アクセス制御装置Ａ２３にて移動端末装置５５が登録されている無線アクセスネットワークＣ４５のページングエリアに接続されたアクセス制御装置Ｃ２６の識別子をページング要求に含めて送信する。本シーケンス例では、アクセス制御装置Ｃ２６に移動端末装置５５が登録されていることとする。なお、移動端末装置５５が登録されている無線アクセスネットワークＣ４５の基地局装置Ｃ４３の情報を持っていない場合は、少なくとも移動端末装置５５を識別することが出来る情報をページング要求に含めて送信する。【００９８】
外部ゲートウェイ装置２１は、受信したページング要求から移動端末装置５５が登録されているアクセス制御装置Ｃ２６を判断し、該当するアクセス制御装置Ｃ２６にページング要求を転送し、アクセス制御装置Ｃ２６は、移動管理部６２０で管理されている移動端末装置５５の位置情報を参照して、移動端末装置５５が登録されているページングエリアに基づき、該当するページングエリアに属する基地局装置Ｃ４３を介してページング要求メッセージを報知する（Ｓ４０５）。なお、アクセス制御装置Ａ２３から送信されたシーケンスＳ４０４のページング要求メッセージにアクセス制御装置Ｃ２６を特定する情報が含まれてない場合でも、移動端末装置５５の識別子を参照して、移動端末装置５５の登録時に確立された外部ゲートウェイ装置２１とアクセス制御装置Ｃ２６間の経路情報を参照して、アクセス制御装置Ｃ２６を特定してもよい。【００９９】
ページング要求を受信した移動端末装置５５は接続可能な無線アクセスネットワークＣ４５の基地局装置Ｃを探索し（Ｓ４０６）、接続可能な基地局装置Ｃ４３を発見すると、基地局装置Ｃ４３に対してページング応答メッセージを送信する（Ｓ４０７）。ページング応答メッセージを受信した基地局装置Ｃ４３は、自分の基地局識別子等の基地局装置Ｃ４３とアクセス制御装置Ｃ２６間の接続に必要な情報を含めてページング応答を転送する。アクセス制御装置Ｃ２６は、ページング応答メッセージを受信すると、アクセス制御装置Ｃ２６で管理されている加入者情報を参照して、サービス加入情報や課金情報といった加入者情報を含めて経路情報更新・ベアラ確立要求メッセージを外部ゲートウェイ装置２１に送信する（Ｓ４０８）。【０１００】
外部ゲートウェイ装置２１では、経路情報更新・ベアラ確立要求メッセージを受信すると移動端末装置５５と外部ゲートウェイ装置２１間で確立されるベアラに対して、ＱｏＳポリシーや課金ルール等を追加するベアラ情報更新を行う（Ｓ４０９）。また、ＱｏＳポリシーや課金ルールについて本シーケンス例では経路情報更新・ベアラ確立要求メッセージに含まれているとしたが、他のネットワーク装置から前記情報を取得しても構わずその取得手段は問わない。外部ゲートウェイ装置２１にてベアラ情報更新が完了すると、外部ゲートウェイ装置２１は、アクセス制御装置Ｃ２６にベアラ更新応答メッセージを返信する（Ｓ４１０）。アクセス制御装置Ｃ２６は、ベアラ更新応答メッセージを受信すると、他装置と連携して移動端末装置５５と基地局装置Ｃ４３間及び基地局装置Ｃ４３とアクセス制御装置Ｃ２６間のベアラを確保する（Ｓ４１１）。【０１０１】
移動端末装置５５とアクセス制御装置Ｃ２６間でベアラが確保されるとアクセス制御装置Ｃ２６は、外部ゲートウェイ装置２１へベアラ確立完了メッセージを送信する（Ｓ４１２）。外部ゲートウェイ装置２１は、このベアラ確立完了メッセージをアクセス制御装置Ａ２３に転送する（Ｓ４１３）。アクセス制御装置Ａ２３でバッファされていた通信データは、いったん外部ゲートウェイ装置２１に送られた後（Ｓ４１４）、シーケンスＳ４０８からＳ４１１で確立されたベアラを介して移動端末装置５５に送られる（Ｓ４１５、Ｓ４１６、Ｓ４１７）。【０１０２】
ここで、本シーケンス例ではアクセス制御装置Ｃ２６外部ゲートウェイ装置２１のベアラを確立してからアクセス制御装置Ｃ２６と外部ゲートウェイ装置２１間のベアラ情報の更新を行う処理手順を示したが、どちらかの処理が完了した後でなければ他方の処理を行うことが出来ないというわけではなく、上記ベアラの設定に関する処理の順番は問わないこととする。また、本シーケンス例では、アクセス制御装置Ｃ２６からのベアラ確立完了メッセージ（Ｓ４１２、Ｓ４１３）をトリガとしてアクセス制御装置Ｃ２６での転送を開始する手順を示したが、外部ゲートウェイ装置２１が要求されたベアラの設定の処理が完了した段階で移動端末装置５５に対して転送処理を開始しても構わず、転送開始の処理手順を限定するものではない。【０１０３】
なお、第１および第２の実施形態では、移動端末装置５０、１５０は、２つの無線通信方式にて通信可能な場合を説明したが、２つを超える数の無線通信方式にて通信可能であっても、同様にして実現可能である。
また、無線アクセスネットワークあるいは無線通信方式によってページング要求に含まれる情報やそれらの情報を管理する装置が異なる場合があるが、上述の第１および第２の実施形態で説明した処理を行う機能を備えていれば、第１および第２の実施形態で示したシステム構成に限定するものではなく、例えば、基地局装置とアクセス制御装置が一つの装置として実現されていてもよい。【０１０４】
なお、この図２の無線通信ＩＦ部５１、無線制御部５２、通信制御部５３、および、図３の無線制御部３１０、無線ネットワーク制御部３２０、ＵＥ管理部３３０、通信制御部３４０、および、図４の無線制御部４１０、無線ネットワーク制御部４２０、ＵＥ管理部３３０、通信制御部４４０、および、図５の通信制御部６１０、移動管理部６２０、ネットワーク・アクセス制御部６３０、および、図７の通信制御部７１０、移動管理部７２０、ネットワーク・アクセス制御部６３０、および、図８のデータ受信部８１０、データ転送部８２０、ＲＡＮ管理部８３０、および、図９のサービス加入者情報管理部９０１、ユーザ識別情報管理部９０２、ユーザ位置情報管理部９０３、および、図１２の無線通信ＩＦ部５１、無線制御部５２、通信制御部１５３、および、図１３の無線制御部３１０、無線ネットワーク制御部１３２０、ＵＥ管理部３３０、通信制御部３４０、図１４の通信制御部６１０、移動管理部１６２０、ネットワーク・アクセス制御部１６３０、および、図１７の無線制御部５２、無線通信ＩＦ部５６、通信制御部５７、および、図１８の無線制御部３１０、無線ネットワーク制御部３２０、ＵＥ管理部３３０、通信制御部３４０、および、図１９の通信制御部６１０、移動管理部６２０、ネットワークアクセス制御部６３０は専用のハードウェアにより実現されるものであってもよく、また、これら各部はメモリおよびＣＰＵ（中央演算装置）により構成され、これら各部の機能を実現するためのプログラムをメモリにロードして実行することによりその機能を実現させるものであってもよい。【０１０５】
また、図２の無線通信ＩＦ部５１、無線制御部５２、通信制御部５３、および、図３の無線制御部３１０、無線ネットワーク制御部３２０、ＵＥ管理部３３０、通信制御部３４０、および、図４の無線制御部４１０、無線ネットワーク制御部４２０、ＵＥ管理部３３０、通信制御部４４０、および、図５の通信制御部６１０、移動管理部６２０、ネットワーク・アクセス制御部６３０、および、図７の通信制御部７１０、移動管理部７２０、ネットワーク・アクセス制御部６３０、および、図８のデータ受信部８１０、データ転送部８２０、ＲＡＮ管理部８３０、および、図９のサービス加入者情報管理部９０１、ユーザ識別情報管理部９０２、ユーザ位置情報管理部９０３、および、図１２の無線通信ＩＦ部５１、無線制御部５２、通信制御部１５３、および、図１３の無線制御部３１０、無線ネットワーク制御部１３２０、ＵＥ管理部３３０、通信制御部３４０、図１４の通信制御部６１０、移動管理部１６２０、ネットワーク・アクセス制御部１６３０、および、図１７の無線制御部５２、無線通信ＩＦ部５６、通信制御部５７、および、図１８の無線制御部３１０、無線ネットワーク制御部３２０、ＵＥ管理部３３０、通信制御部３４０、および、図１９の通信制御部６１０、移動管理部６２０、ネットワークアクセス制御部６３０の機能を実現するためのプログラムをコンピュータ読み取り可能な記録媒体に記録して、この記録媒体に記録されたプログラムをコンピュータシステムに読み込ませ、実行することにより、これら各部の処理を行ってもよい。なお、ここでいう「コンピュータシステム」とは、ＯＳや周辺機器等のハードウェアを含むものとする。【０１０６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。【０１０７】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【０１０８】
本発明は、複数の無線通信方式を備えた移動通信ネットワークに用いて好適であるが、これに限定されない。
【図１】
2009028673.tif 000003
【図２】
2009028673.tif 000004
【図３】
2009028673.tif 000005
【図４】
2009028673.tif 000006
【図５】
2009028673.tif 000007
【図６】
2009028673.tif 000008
【図７】
2009028673.tif 000009
【図８】
2009028673.tif 000010
【図９】
2009028673.tif 000011
【図１０】
2009028673.tif 000012
【図１１】
2009028673.tif 000013
【図１２】
2009028673.tif 000014
【図１３】
2009028673.tif 000015
【図１４】
2009028673.tif 000016
【図１５】
2009028673.tif 000017
【図１６】
2009028673.tif 000018
【図１７】
2009028673.tif 000019
【図１８】
2009028673.tif 000020
【図１９】
2009028673.tif 000021
【図２０】
2009028673.tif 000022
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
第１の無線通信方式を使用する第１の無線アクセスネットワークと、第２の無線通信方式を使用する第２の無線アクセスネットワークと、前記第１および第２の無線アクセスネットワークと接続しているコアネットワークと、第１の無線通信方式および第２の無線通信方式に対応した移動端末装置から構成される通信システムであって、
前記コアネットワークは、前記第１の無線アクセスネットワークまたは前記第２の無線アクセスネットワークのいずれかを示す識別情報を含めたページング要求を前記第１の無線アクセスネットワークに属する基地局装置に送信するアクセス制御装置を具備し、
前記第１の無線アクセスネットワークは、前記アクセス制御装置から送信されるページング要求に基づいて、前記第１の無線アクセスネットワークまたは第２の無線アクセスネットワークのいずれかを示す識別情報を含めたページング要求を前記移動端末装置に送信する基地局装置を具備し、
前記移動端末装置は、前記第２の無線アクセスネットワークを示す識別情報を含むページング要求を前記基地局装置から受信した場合、第２の無線アクセスネットワークを介した通信路確立手順を開始することを特徴とする通信システム。
【請求項２】
第１の無線通信方式を使用する第１の無線アクセスネットワークと、第２の無線通信方式を使用する第２の無線アクセスネットワークと、前記第１および第２の無線アクセスネットワークと接続しているコアネットワークと、第１の無線通信方式および第２の無線通信方式に対応した移動端末装置から構成される通信システムにおいて、前記コアネットワークに属するアクセス制御装置であって、
前記移動端末装置が使用する無線アクセスネットワークを示す識別情報を含めたページング要求を前記第１の無線アクセスネットワークに属する基地局装置に送信することを特徴とするアクセス制御装置。
【請求項３】
前記移動端末装置の能力情報を参照し、前記移動端末装置が有する機能で通信可能か否かに応じて、前記識別情報を決定し送信することを特徴とする請求項２記載のアクセス制御装置。
【請求項４】
前記移動端末装置の位置情報を参照し、前記移動端末装置が第２の無線アクセスネットワークの通信エリアに位置しているか否かに応じて、前記識別情報を決定し送信することを特徴とする請求項２記載のアクセス制御装置。
【請求項５】
第１の無線通信方式を使用する第１の無線アクセスネットワークと、第２の無線通信方式を使用する第２の無線アクセスネットワークと、前記第１および第２の無線アクセスネットワークと接続しているコアネットワークと、第１の無線通信方式および第２の無線通信方式に対応した移動端末装置から構成される通信システムにおいて、前記第２の無線アクセスネットワークに属する基地局装置であって、
前記コアネットワークに属するアクセス制御装置から送信される前記移動端末装置が使用する無線アクセスネットワークを示す識別情報を含むページング要求に基づいて、前記第１の無線アクセスネットワークまたは第２の無線アクセスネットワークのいずれかを示す識別情報を含めたページング要求を前記移動端末装置に送信することを特徴とする基地局装置。
【請求項６】
第１の無線通信方式を使用する第１の無線アクセスネットワークと、第２の無線通信方式を使用する第２の無線アクセスネットワークと、前記第１および第２の無線アクセスネットワークと接続しているコアネットワークと、第１の無線通信方式および第２の無線通信方式に対応した移動端末装置から構成される通信システムにおける移動端末装置であって、
無線アクセスネットワークを示す識別情報を含むページング要求を前記第１の無線アクセスネットワークに属する基地局装置から受信し、
前記受信したページング要求に含まれる識別情報が第２の無線アクセスネットワークを示していた場合、第２の無線アクセスネットワークを介した通信路確立手順を開始することを特徴とする移動端末装置。
【請求項７】
第１の無線通信方式を使用する第１の無線アクセスネットワークと、第２の無線通信方式を使用する第２の無線アクセスネットワークと、前記第１および第２の無線アクセスネットワークと接続しているコアネットワークと、第１の無線通信方式および第２の無線通信方式に対応した移動端末装置から構成される通信システムにおける移動端末装置の通信制御方法であって、
無線アクセスネットワークを示す識別情報を含むページング要求を前記第１の無線アクセスネットワークに属する基地局装置から受信し、
前記受信したページング要求に含まれる識別情報が第２の無線アクセスネットワークを示していた場合、第２の無線アクセスネットワークを介した通信路確立手順を開始することを特徴とする通信制御方法。
【国際調査報告】
2009028673.tif 000023
2009028673.tif 000024